(57)【要約】【課題】開錠や施錠の処理に当たり、認証処理などを必要としない従来の簡易な構造の錠前に使用する鍵であって、同一の鍵を複数に使用する際に、利用者が頻繁に変更するような使用条件であっても、鍵毎の使用状態を管理できるようにする。【解決手段】鍵１１は、内蔵される加速度センサにより自らの動作状態を検出して動作履歴としてＡＰ１３を介してホールコンピュータ２２に送信する。ホールコンピュータ２２は、鍵１１の動作履歴の情報をＡＰ１３を介して取得して、動作状態の情報を表示部２２ａに表示する。本技術は、鍵管理システムに適用することができる。【選択図】図１
2012193495.tif 000002
【特許請求の範囲】
【請求項１】
鍵と鍵管理装置とからなる鍵管理システムであって、
前記鍵は、
自らの動作状態を検出する動作検出部と、
前記動作検出部により検出された動作状態の情報を、予め登録された設置位置に設置される複数の受信装置に無線通信により送信する送信部と
を含み、
前記鍵管理装置は、
前記予め登録された設置位置に設置される複数の受信装置により受信される、前記鍵の動作状態の情報を取得する取得部と、
前記取得部により取得された鍵の動作状態の情報を格納する格納部と、
前記格納部に格納された動作状態の情報を表示する表示部と
を含む鍵管理システム。
【請求項２】
前記動作検出部は、３次元方向のそれぞれの方向の加速度を測定する加速度センサを含み、前記加速度センサにより測定される加速度の情報を自らの動作状態として検出する
請求項１に記載の鍵管理システム。
【請求項３】
前記動作検出部は、３次元方向のそれぞれの方向の加速度を測定する加速度センサに加えて、磁気センサをさらに含み、前記加速度センサにより測定される加速度の情報、および前記磁気センサにより測定される地磁気に対する方向の情報を自らの動作状態として検出する
請求項２に記載の鍵管理システム。
【請求項４】
自らが錠に挿入されたことを検出する錠挿入検出部をさらに含み、
前記動作検出部は、前記錠挿入検出部により自らが錠に挿入されたことが検出されたとき、自らの動作状態を検出し、
前記送信部は、前記動作状態が検出されたとき、前記動作状態の情報を、予め登録された設置位置に設置される複数の受信装置に無線通信により送信する
請求項１に記載の鍵管理システム。
【請求項５】
前記送信部は、動作状態が所定時間検出されないとき、動作が何も検出されないことを前記動作状態の情報として、予め登録された設置位置に設置される複数の受信装置に無線通信により送信する
請求項１に記載の鍵管理システム。
【請求項６】
前記予め登録された設置位置に設置される複数の受信装置のうち、前記鍵の動作状態の情報を取得することができた受信装置の設置位置に応じて、前記鍵の位置を特定する鍵位置特定部をさらに含み、
前記格納部は、前記取得部により取得された鍵の動作状態の情報に対応付けて、前記鍵の位置の情報を格納する
請求項１に記載の鍵管理システム。
【請求項７】
前記鍵位置特定部は、予め登録された設置位置に設置される複数の受信装置のうち、前記鍵の動作状態の情報を取得することができた受信装置の設置位置と、前記動作状態の情報を取得するときの電波強度とに基づいて、前記電波強度に応じて求められる重心位置により、前記鍵の位置を特定する
請求項６に記載の鍵管理システム。
【請求項８】
自らの動作状態を検出する動作検出部と、
前記動作検出部により検出された動作状態の情報を、予め登録された設置位置に設置される複数の受信装置に無線通信により送信する送信部と
を含む鍵と、
前記予め登録された設置位置に設置される複数の受信装置により受信される、前記鍵の動作状態の情報を取得する取得部と、
前記取得部により取得された鍵の動作状態の情報を格納する格納部と、
前記格納部に格納された動作状態の情報を表示する表示部と
を含む鍵管理装置とからなる鍵管理システムの鍵管理方法は、
前記鍵の鍵管理方法が、
前記動作検出部における、前記自らの動作状態を検出する動作検出ステップと、
前記送信部における、前記動作検出ステップの処理により検出された動作状態の情報を、予め登録された設置位置に設置される複数の受信装置に無線通信により送信する送信ステップと
を含み、
前記鍵管理装置の鍵管理方法が、
前記取得部における、前記予め登録された設置位置に設置される複数の受信装置により受信される、前記鍵の動作状態の情報を取得する取得ステップと、
前記格納部における、前記取得ステップの処理により取得された鍵の動作状態の情報を格納する格納ステップと、
前記表示部における、前記格納ステップの処理で格納された動作状態の情報を表示する表示ステップと
を含む鍵管理システムの鍵管理方法。
【請求項９】
自らの動作状態を検出する動作検出部と、
前記動作検出部により検出された動作状態の情報を、予め登録された設置位置に設置される複数の受信装置に無線通信により送信する送信部と
を含む鍵と、
前記予め登録された設置位置に設置される複数の受信装置により受信される、前記鍵の動作状態の情報を取得する取得部と、
前記取得部により取得された鍵の動作状態の情報を格納する格納部と、
前記格納部に格納された動作状態の情報を表示する表示部と
を含む鍵管理装置とからなる鍵管理システムを制御するコンピュータのうち、
前記鍵を制御するコンピュータに、
前記動作検出部における、前記自らの動作状態を検出する動作検出ステップと、
前記送信部における、前記動作検出ステップの処理により検出された動作状態の情報を、予め登録された設置位置に設置される複数の受信装置に無線通信により送信する送信ステップと
を含む処理を実行させ、
前記鍵管理装置を制御するコンピュータに、
前記取得部における、前記予め登録された設置位置に設置される複数の受信装置により受信される、前記鍵の動作状態の情報を取得する取得ステップと、
前記格納部における、前記取得ステップの処理により取得された鍵の動作状態の情報を格納する格納ステップと、
前記表示部における、前記格納ステップの処理で格納された動作状態の情報を表示する表示ステップと
を含む処理を実行させるプログラム。
【発明の詳細な説明】
【技術分野】
【０００１】
本技術は、鍵管理システムおよび鍵管理方法、並びにプログラムに関し、特に、鍵の管理にあたり、どの鍵が、どの時刻に、どこに持ち出されて、どのように動作されたのかを管理できるようにした鍵管理システムおよび鍵管理方法、並びにプログラムに関する。
【背景技術】
【０００２】
従来のパチンコパチスロ遊技機（以下、単に遊技機と称するものとする）において、搭載される錠前と、この錠前を操作する鍵は、メカニカル式のものが一般的であり、この対になった錠前と鍵の暗号（勘合）コードが一致した場合、錠前の開錠操作による扉および枠の開閉操作、または錠前にリンクされた連結部材によるリセット操作が可能となるものである。
【０００３】
遊技機を操作可能な同一コードの鍵は複数の従業員が所持しているため、遊技店内で誰が、どこで、どの鍵を用いて、どの遊技機の錠前を操作して扉および枠の開閉、またはリセット操作したのかを監視するいわゆる鍵の動作内容を含む管理が困難であった。
【０００４】
そこで、このような鍵の管理を実現させるために、別途監視カメラを設置して、監視カメラにより撮像された画像を監視したり、インカムのような通信装置を用いて監視することが考えられる。しかしながら、監視カメラやインカムを利用した監視は、余分な作業を伴う割に監視不足による見逃しなどが発生し易く、十分なセキュリティを保つことは困難であった。また、監視カメラやインカムを利用した監視は、遊技店内における監視が仮にできたとしても、鍵が遊技店外に持ち出されると、不正行為がなされていても、不正情報を得ることは困難であった。
【０００５】
これらの困難を解消するため、遊技機のガラス扉および前扉（枠）の開錠を電子キーに記憶された認証コードを用いて鍵の開閉を管理する鍵管理システムが提案されている（特許文献１参照）。
【先行技術文献】
【特許文献】
【０００６】
【特許文献１】特開平０２−２１１１８８号公報
【発明の概要】
【発明が解決しようとする課題】
【０００７】
しかしながら、特許文献１に記載の鍵管理システムでは、錠前が設けられる遊技機と管理装置とが接続され、認証コードを読み取り照合するといった処理が必要となり、既存の遊技機に設置しようとすると、大掛かりな改造が必要となることから、その導入に係る遊技店の負担が大きかった。
【０００８】
本技術はこのような状況に鑑みてなされたものであり、特に、事前に登録された複数個の鍵が所定エリア内のどの位置に存在しているかを常時監視し、個々の鍵の使用状態をリアルタイムで管理すると共に、個々の鍵で操作（開錠）可能な遊技機などの状態を管理することで、関連する遊技機及び鍵のセキュリティを向上させるものである。また、鍵の位置情報および動作履歴を時刻に対応付けて記憶させることにより、個々の鍵の移動動線履歴と動作履歴を管理し、個々の鍵を持つ係員の行動を把握できるようにするものである。
【課題を解決するための手段】
【０００９】
本技術の一側面の鍵管理システムは、鍵と鍵管理装置とからなる鍵管理システムであって、前記鍵は、自らの動作状態を検出する動作検出部と、前記動作検出部により検出された動作状態の情報を、予め登録された設置位置に設置される複数の受信装置に無線通信により送信する送信部とを含み、前記鍵管理装置は、前記予め登録された設置位置に設置される複数の受信装置により受信される、前記鍵の動作状態の情報を取得する取得部と、前記取得部により取得された鍵の動作状態の情報を格納する格納部と、前記格納部に格納された動作状態の情報を表示する表示部とを含む。
【００１０】
前記動作検出部には、３次元方向のそれぞれの方向の加速度を測定する加速度センサを含ませるようにすることができ、前記加速度センサにより測定される加速度の情報を自らの動作状態として検出させるようにすることができる。
【００１１】
前記動作検出部には、３次元方向のそれぞれの方向の加速度を測定する加速度センサに加えて、磁気センサをさらに含ませるようにすることができ、前記加速度センサにより測定される加速度の情報、および前記磁気センサにより測定される地磁気に対する方向の情報を自らの動作状態として検出させるようにすることができる。
【００１２】
自らが錠に挿入されたことを検出する錠挿入検出部をさらに含ませるようにすることができ、前記動作検出部には、前記錠挿入検出部により自らが錠に挿入されたことが検出されたとき、自らの動作状態を検出させるようにすることができ、前記送信部には、前記動作状態が検出されたとき、前記動作状態の情報を、予め登録された設置位置に設置される複数の受信装置に無線通信により送信させるようにすることができる。
【００１３】
前記送信部には、動作状態が所定時間検出されないとき、動作が何も検出されないことを前記動作状態の情報として、予め登録された設置位置に設置される複数の受信装置に無線通信により送信させるようにすることができる。
【００１４】
前記予め登録された設置位置に設置される複数の受信装置のうち、前記鍵の動作状態の情報を取得することができた受信装置の設置位置に応じて、前記鍵の位置を特定する鍵位置特定部をさらに含ませるようにすることができ、前記格納部には、前記取得部により取得された鍵の動作状態の情報に対応付けて、前記鍵の位置の情報を格納させるようにすることができる。
【００１５】
前記鍵位置特定部には、予め登録された設置位置に設置される複数の受信装置のうち、前記鍵の動作状態の情報を取得することができた受信装置の設置位置と、前記動作状態の情報を取得するときの電波強度とに基づいて、前記電波強度に応じて求められる重心位置により、前記鍵の位置を特定させるようにすることができる。
【００１６】
本技術の一側面の鍵管理方法は、自らの動作状態を検出する動作検出部と、前記動作検出部により検出された動作状態の情報を、予め登録された設置位置に設置される複数の受信装置に無線通信により送信する送信部とを含む鍵と、前記予め登録された設置位置に設置される複数の受信装置により受信される、前記鍵の動作状態の情報を取得する取得部と、前記取得部により取得された鍵の動作状態の情報を格納する格納部と、前記格納部に格納された動作状態の情報を表示する表示部とを含む鍵管理装置とからなる鍵管理システムの鍵管理方法は、前記鍵の鍵管理方法が、前記動作検出部における、前記自らの動作状態を検出する動作検出ステップと、前記送信部における、前記動作検出ステップの処理により検出された動作状態の情報を、予め登録された設置位置に設置される複数の受信装置に無線通信により送信する送信ステップとを含み、前記鍵管理装置の鍵管理方法が、前記取得部における、前記予め登録された設置位置に設置される複数の受信装置により受信される、前記鍵の動作状態の情報を取得する取得ステップと、前記格納部における、前記取得ステップの処理により取得された鍵の動作状態の情報を格納する格納ステップと、前記表示部における、前記格納ステップの処理で格納された動作状態の情報を表示する表示ステップとを含む。
【００１７】
本技術の一側面のプログラムは、自らの動作状態を検出する動作検出部と、前記動作検出部により検出された動作状態の情報を、予め登録された設置位置に設置される複数の受信装置に無線通信により送信する送信部とを含む鍵と、前記予め登録された設置位置に設置される複数の受信装置により受信される、前記鍵の動作状態の情報を取得する取得部と、前記取得部により取得された鍵の動作状態の情報を格納する格納部と、前記格納部に格納された動作状態の情報を表示する表示部とを含む鍵管理装置とからなる鍵管理システムを制御するコンピュータのうち、前記鍵を制御するコンピュータに、前記動作検出部における、前記自らの動作状態を検出する動作検出ステップと、前記送信部における、前記動作検出ステップの処理により検出された動作状態の情報を、予め登録された設置位置に設置される複数の受信装置に無線通信により送信する送信ステップとを含む処理を実行させ、前記鍵管理装置を制御するコンピュータに、前記取得部における、前記予め登録された設置位置に設置される複数の受信装置により受信される、前記鍵の動作状態の情報を取得する取得ステップと、前記格納部における、前記取得ステップの処理により取得された鍵の動作状態の情報を格納する格納ステップと、前記表示部における、前記格納ステップの処理で格納された動作状態の情報を表示する表示ステップとを含む処理を実行させる。
【００１８】
本技術の一側面においては、前記鍵により、自らの動作状態が検出され、検出された動作状態の情報が、予め登録された設置位置に設置される複数の受信装置に無線通信により送信され、前記鍵管理装置により、前記予め登録された設置位置に設置される複数の受信装置により受信される、前記鍵の動作状態の情報が取得され、取得された鍵の動作状態の情報が格納され、格納された動作状態の情報が表示される。
【００１９】
すなわち、本技術の一側面の鍵管理システムにおける、鍵管理システムを構成する鍵とは、例えば、遊技機の扉、および枠を開閉すると共に、リセットする錠前に対応する鍵であり、鍵管理装置とは、例えば、遊技店におけるホールコンピュータであり、前記鍵における自らの動作状態を検出する動作検出部とは、例えば、加速度センサおよび磁気センサであり、前記動作検出部により検出された動作状態の情報を、予め登録された設置位置に設置される複数の受信装置に無線通信により送信する送信部とは、例えば、ＡＰ（アクセスポイント）通信部であり、前記鍵管理装置における、前記予め登録された設置位置に設置される複数の受信装置により受信される、前記鍵の動作状態の情報を取得する取得部とは、例えば、履歴管理テーブルであり、前記取得部により取得された鍵の動作状態の情報を格納する格納部とは、例えば、データストレージであり、前記格納部に格納された動作状態の情報を表示する表示部とは、例えば、ホールコンピュータの表示部である。
【００２０】
すなわち、鍵に設けられている加速度センサおよび磁気センサの検出結果である加速度、および地磁気とのずれの情報が、鍵のＡＰ通信部により鍵の最寄に存在するＡＰに送信される。ホールコンピュータは、ＡＰを介して供給されてくる各鍵の加速度、および地磁気とのずれの情報に基づいて認識される鍵の動作状態、並びに受信したＡＰを特定する情報と共に、受信した時刻に対応付けて登録される履歴管理テーブルを動作履歴としてデータストレージに格納する。表示部は、このデータストレージに格納された動作履歴を時刻に対応付けて読み出して表示すると共に、対応付けて格納されているＡＰの位置を順次トレースすることにより鍵の移動動線履歴を表示する。
【００２１】
結果として、どの鍵が、どの位置で、どのタイミングで、どのように動作されているのかをリアルタイムで監視することができ、さらに、鍵の使用者がどのように移動したのかを管理することが可能となる。
【発明の効果】
【００２２】
本技術によれば、認証処理などを行わない従来の簡易な構造の錠前に使用する鍵であって、同一の鍵を複数に使用する際に、鍵毎の動作履歴を容易で、かつ、安価なシステムにより管理することが可能となる。
【図面の簡単な説明】
【００２３】
【図１】本技術の鍵管理システムを適用した遊技店の店舗の構成例を説明する図である。
【図２】図１の鍵管理システムの構成例を説明する図である。
【図３】鍵の構造例を示す構造図である。
【図４】鍵の構造例を示す構造図である。
【図５】鍵により実現される機能を示すブロック図である。
【図６】鍵収納庫により実現される機能を示すブロック図である。
【図７】ＡＰにより実現される機能を示すブロック図である。
【図８】図１の鍵管理システムにおける通信構成を示す図である。
【図９】ホールコンピュータにより実現される機能を示すブロック図である。
【図１０】鍵による鍵管理処理を説明するフローチャートである。
【図１１】鍵収納庫による鍵管理処理を説明するフローチャートである。
【図１２】ＡＰによる鍵管理処理を説明するフローチャートである。
【図１３】図９のホールコンピュータによる鍵管理処理を説明するフローチャートである。
【図１４】電波強度テーブルの構成を説明する図である。
【図１５】ＡＰテーブルの構成を説明する図である。
【図１６】図９のホールコンピュータによる未接続カウント処理を説明するフローチャートである。
【図１７】図９のホールコンピュータによる動作履歴保存処理を説明するフローチャートである。
【図１８】履歴管理テーブルの構成を説明する図である。
【図１９】図９のホールコンピュータによる鍵位置推定処理を説明するフローチャートである。
【図２０】図２の鍵管理システムによる鍵管理処理を説明するフローチャートである。
【図２１】動線履歴表示処理を説明するフローチャートである。
【図２２】動線履歴の表示例を説明する図である。
【図２３】ホールコンピュータの変形例を説明する図である。
【図２４】図２３のホールコンピュータによる鍵位置推定処理を説明するフローチャートである。
【図２５】図２３のホールコンピュータによる鍵位置推定処理における座標の設定例を説明する図である。
【図２６】図２３のホールコンピュータによる鍵位置推定処理における座標の設定例を説明する図である。
【図２７】図２３のホールコンピュータによる鍵位置推定処理における重心座標を求める際の座標設定例を説明する図である。
【図２８】図２３のホールコンピュータによる鍵位置推定処理における重心座標を求める際の座標設定例を説明する図である。
【図２９】図２３のホールコンピュータによる鍵位置推定処理における遊技機のエリアの座標設定例を説明する図である。
【図３０】鍵のその他の構成例を示す図である。
【図３１】ホールコンピュータのその他の構成例を示す図である。
【図３２】図３０の鍵による鍵管理処理を説明するフローチャートである。
【図３３】図３１のホールコンピュータによる鍵管理処理を説明するフローチャートである。
【図３４】図３１のホールコンピュータによる動作履歴保存処理を説明するフローチャートである。
【図３５】汎用のコンピュータの構成例を示す図である。
【発明を実施するための形態】
【００２４】
以下に本技術の実施の形態を説明するが、本技術の構成要件と、発明の詳細な説明に記載の実施の形態との対応関係を例示すると、次のようになる。この記載は、本技術をサポートする実施の形態が、発明の詳細な説明に記載されていることを確認するためのものである。従って、発明の詳細な説明中には記載されているが、本技術の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２５】
すなわち、本技術の一側面の鍵管理システムは、鍵と鍵管理装置とからなる鍵管理システムであって、前記鍵は、自らの動作状態を検出する動作検出部（例えば、図５の加速度センサ１０２、および磁気センサ１０３）と、前記動作検出部により検出された動作状態の情報を、予め登録された設置位置に設置される複数の受信装置に無線通信により送信する送信部（例えば、図５のＡＰ通信部１０７）とを含み、前記鍵管理装置は、前記予め登録された設置位置に設置される複数の受信装置により受信される、前記鍵の動作状態の情報を取得する取得部（例えば、図９の履歴管理テーブル１９１ｆ）と、前記取得部により取得された鍵の動作状態の情報を格納する格納部（例えば、図９のデータストレージ１９７）と、前記格納部に格納された動作状態の情報を表示する表示部（例えば、図９の表示部１９３）とを含む。
【００２６】
自らが錠に挿入されたことを検出する錠挿入検出部（例えば、図５の鍵挿入検出部１０１）をさらに含ませるようにすることができ、前記動作検出部には、前記錠挿入検出部により自らが錠に挿入されたことが検出されたとき、自らの動作状態を検出させるようにすることができ、前記送信部には、前記動作状態が検出されたとき、前記動作状態の情報を、予め登録された設置位置に設置される複数の受信装置に無線通信により送信させるようにすることができる。
【００２７】
前記予め登録された設置位置に設置される複数の受信装置のうち、前記鍵の動作状態の情報を取得することができた受信装置の設置位置に応じて、前記鍵の位置を特定する鍵位置特定部（例えば、図９の位置特定部１９１ｇ）をさらに含ませるようにすることができ、前記格納部には、前記取得部により取得された鍵の動作状態の情報に対応付けて、前記鍵の位置の情報を格納させるようにすることができる。
【００２８】
前記鍵位置特定部（例えば、図９の位置特定部１９１ｇ）には、予め登録された設置位置に設置される複数の受信装置のうち、前記鍵の動作状態の情報を取得することができた受信装置の設置位置と、前記動作状態の情報を取得するときの電波強度とに基づいて、前記電波強度に応じて求められる重心位置により、前記鍵の位置を特定させるようにすることができる。
【００２９】
本技術の一側面の鍵管理方法は、自らの動作状態を検出する動作検出部と、前記動作検出部により検出された動作状態の情報を、予め登録された設置位置に設置される複数の受信装置に無線通信により送信する送信部とを含む鍵と、前記予め登録された設置位置に設置される複数の受信装置により受信される、前記鍵の動作状態の情報を取得する取得部と、前記取得部により取得された鍵の動作状態の情報を格納する格納部と、前記格納部に格納された動作状態の情報を表示する表示部とを含む鍵管理装置とからなる鍵管理システムの鍵管理方法は、前記鍵の鍵管理方法が、前記動作検出部における、前記自らの動作状態を検出する動作検出ステップ（例えば、図１０のステップＳ８乃至１０）と、前記送信部における、前記動作検出ステップの処理により検出された動作状態の情報を、予め登録された設置位置に設置される複数の受信装置に無線通信により送信する送信ステップ（例えば、図１０のステップＳ１３）とを含み、前記鍵管理装置の鍵管理方法が、前記取得部における、前記予め登録された設置位置に設置される複数の受信装置により受信される、前記鍵の動作状態の情報を取得する取得ステップ（例えば、図１３のステップＳ１１３，Ｓ１１７，Ｓ１２０）と、前記格納部における、前記取得ステップの処理により取得された鍵の動作状態の情報を格納する格納ステップ（例えば、図１３のステップＳ１１９，Ｓ１２１）と、前記表示部における、前記格納ステップの処理で格納された動作状態の情報を表示する表示ステップ（例えば、図２１のステップＳ２８６，Ｓ２８７）とを含む。
【００３０】
以下、発明を実施するための最良の形態（以下、実施の形態とする）について説明する。尚、説明は以下の順序で行う。
１．第１の実施の形態（ホールコンピュータが公衆回線を介して鍵に問い合わせる例）
２．変形例
３．第２の実施の形態（鍵とホールコンピュータとが相互に公衆回線を介して問い合わせる例）
【００３１】
＜１．第１の実施の形態＞
［本技術の鍵管理システムを用いた遊技店の店舗の一実施の形態の構成例］
図１は、本技術の鍵管理システムを用いた遊技店の店舗の一実施の形態の構成例を示す図である。図１においては、遊技店の店舗１と、その管理事務所２とからなる鍵管理システムを実施している遊技店の構成例を示している。遊技店で管理する鍵１１は、遊技機のそれぞれに設けられた錠前の鍵穴に挿入されて、例えば、右方向に回転させると遊技機の扉の錠前が開錠され、左方向に回転させると遊技機の枠のみが開錠されて、いずれの錠前も施錠される構成となっている。尚、回転方向に対する扉および枠の開錠は、上述の逆の関係であってもよい。また、この鍵は、コードが共通とされることで、１つの鍵１１で全ての遊技機の錠前を開錠および施錠することができる。また、鍵１１は、複数に用意されており、通常、管理事務所２の鍵収納庫２１内に収納されており、必要に応じて鍵収納庫２１からの電力供給を受けて内蔵する電池５４（図５）を充電する。
【００３２】
さらに、鍵１１は、すなわち、鍵穴への挿入、および回転を検出することにより、自らの動作状態を検出する。また、鍵１１は、検出した自らの動作状態の情報を遊技機の位置に対応付けて設置されるアクセスポイント（以降において、ＡＰと称する）１３と無線により通信し、ＡＰ１３を介して、管理事務所２に設置されるホールコンピュータ２２に送信する。鍵１１とＡＰ１３との通信は、例えば、ブルートゥースなどによる近距離無線通信である。図１においては、遊技機の配置に併せてＡＰ１３−１乃至１３−１６０が設けられていることが示されている。尚、図１においては、遊技機が記載されていないが、ＡＰ１３のそれぞれの位置に対応して設置されているものとする。また、ＡＰ１３−１乃至１３−１６０のそれぞれについて特に区別する必要がない場合、単に、ＡＰ１３と称するものとし、それ以外の構成についても同様に称するものとする。
【００３３】
また、図１の店舗１においては、遊技機が島設備Ａ乃至Ｈに設けられており、対応してＡＰ１３が設置されている。すなわち、図１においては、島設備Ａに設置される遊技機に対応してＡＰ１３−１乃至１３−２０が設けられており、島設備Ｂに設置される遊技機に対応してＡＰ１３−２１乃至１３−４０が設けられており、島設備Ｃに設置される遊技機に対応してＡＰ１３−４１乃至１３−６０が設けられており、島設備Ｄに設置される遊技機に対応してＡＰ１３−６１乃至１３−８０が設けられている。同様に、島設備Ｅに設置される遊技機に対応してＡＰ１３−８１乃至１３−１００が設けられており、島設備Ｆに設置される遊技機に対応してＡＰ１３−１０１乃至１３−１２０が設けられており、島設備Ｇに設置される遊技機に対応してＡＰ１３−１２１乃至１３−１４０が設けられており、島設備Ｈに設置される遊技機に対応してＡＰ１３−１４１乃至１３−１６０が設けられている。
【００３４】
各ＡＰ１３は、有線または無線によりホールコンピュータ２２と接続されており、鍵１１との通信により供給されてくる鍵１１の動作状態の情報をホールコンピュータ２２に供給する。この際、１つの鍵１１は、通信可能な距離に存在する全てのＡＰ１３と通信し、同様の動作状態の情報を送信する。すなわち、例えば、図１においては、ユーザ１２−１が鍵１１−１を持ち出し、例えば、ユーザ１２−２で示す位置に移動した場合、移動した鍵１１−２は、その近傍のＡＰ１３−２１乃至１３−２３と通信し、自らの動作状態の情報を送信する。このとき、ＡＰ１３−２１乃至１３−２３は、鍵１１−２より供給された動作状態の情報を有線または無線によりホールコンピュータ２２に送信する。
【００３５】
また、例えば、ユーザ１２−３乃至１２−５で示す位置に移動した場合、移動した鍵１１−２乃至１１−５は、それぞれ、その近傍のＡＰ１３−３６乃至１３−３８、ＡＰ１３−９６乃至１３−９８、およびＡＰ１３−１４８乃至１３−１５０と通信し、自らの動作状態の情報を送信する。このとき、ＡＰ１３−２１乃至１３−２３、ＡＰ１３−９６乃至１３−９８、およびＡＰ１３−１４８乃至１３−１５０は、それぞれ鍵１１−２乃至５より供給された動作状態の情報を有線または無線によりホールコンピュータ２２に送信する。
【００３６】
ホールコンピュータ２２は、このＡＰ１３からの鍵１１の動作状態の情報に基づいて、鍵１１の位置を特定すると共に、受信した鍵１１の動作状態の情報を格納する。ホールコンピュータ２２は、ＡＰ１３を介して、定期的に鍵１１からの動作状態の情報を取得して格納する。
【００３７】
例えば、図１のユーザ１２−６で示されるように、遊技店の店舗１の扉３から外部に鍵１１−６が持ち出されると、店舗１内にしか設けられていないＡＰ１３との通信ができなくなるので、ホールコンピュータ２２は、定期的に鍵１１からの動作状態の情報が取得できない状態となる。このような場合、ホールコンピュータ２２は、公衆回線２３を介して鍵１１と通信し、鍵１１のＧＰＳ１０４（図５）により取得される位置情報を取得して格納すると共に、鍵１１が店舗１の外部に持ち出されたことを通知する。
【００３８】
また、ホールコンピュータ２２は、格納した動作状態の情報を必要に応じて表示する。
【００３９】
［鍵管理システムの構成例］
図２は、本技術を用いた鍵管理システムの一実施の形態の構成例を示す図である。図２における左部は、鍵収納庫２１の本体の外観斜視図であり、中央上段部は、鍵１１および鍵収納庫２１の収納棚２１ｂの外観斜視図であり、中央下段部は、鍵１１および収納棚２１ｂの上面図であり、右上段部は中央上段図の範囲Ａで示される鍵１１および収納棚２１ｂの拡大外観斜視図であり、右下段部は中央下段図の範囲Ｂで示される鍵１１および収納棚２１ｂの拡大上面図である。
【００４０】
鍵１１は、図示せぬ機械式の錠前の鍵穴にその先端部を挿入して、左右に回転させることにより錠前を施錠、または開錠させる。鍵１１は、マイクロプロセッサからなる制御部１０５（図５）を備えており、自らの姿勢を認識することができ、例えば、自らが錠前の鍵穴に挿入されて、回転されると、その回転に伴った動作状態を認識し、認識した動作状態の情報を時刻に対応付けて動作履歴としてＡＰ１３を介してホールコンピュータ２２に送信する。
【００４１】
鍵収納庫２１の本体には、収納部位の扉２１ａ、および複数の鍵１１を収納する収納棚２１ｂ−１乃至２１ｂ−３が設けられている。尚、図２の収納棚２１ｂ−１乃至２１ｂ−３については、３段のみの棚が描かれているがそれ以上の段数としてもよい。また、収納棚２１ｂ−１乃至２１ｂ−３のそれぞれについて特に区別する必要がない場合、単に収納棚２１ｂと称するものとし、その他の構成についても同様に称するものとする。
【００４２】
収納棚２１ｂは、鍵１１のフォルダ部１１ｂをツメ３１ａにより固定して収納すると共に、その収納状態を検出する鍵収納検出部３１−１乃至３１−６を備えている。尚、図２においては、収納棚２１ｂに６個の鍵収納検出部３１を設ける例について示しているが、その個数は、それ以外の個数であってもよいものである。図２の中央上段図、および中央下段図においては、鍵１１−２乃至１１−６が、鍵収納検出部３１−２乃至３１−６に収納されている様子が示されている。また、図２の中央上段図、および中央下段図においては、鍵収納検出部３１−１については、鍵１１−１が収納されていない状態が示されている。尚、図２においては、表示部２２ａ、および操作部２２ｂは、ホールコンピュータ２２を用いる例について示したものとなっているが、専用の表示部２２ａ、および操作部２２ｂを設けて、例えば、本体と一体の構成とするようにしてもよい。
【００４３】
鍵収納庫２１は、鍵収納検出部３１により鍵１１の収納が検出されると、鍵１１に電力を供給して充電させる。
【００４４】
［鍵の構成例］
次に、図３乃至図５を参照して、鍵１１の構成例について説明する。ここで、図３は、鍵１１の分解図であり、図４は、外観斜視図であり、図５は、鍵１１により実現される機能を示す機能ブロック図である。尚、図４は、外観斜視図となっているが、ホルダ部１１ｂの内部が透明状に描かれており、その内部の構造を示す構造図にもなっている。
【００４５】
鍵１１は、キーコードが刻まれている棒状の鍵部１１ａ、および使用者が使用する際、摘んで使用する部位であるホルダ部１１ｂとから構成されている。鍵部１１ａは、錠前に設けられた鍵穴に挿入する部位であり、キーコードが刻まれている。ホルダ部１１ｂは、使用者が鍵１１を使用する際に摘む部位となる他、基板５３、および電池５４などを含む構成となっている。
【００４６】
より詳細には、鍵１１のホルダ部１１ｂは、図３で示される上下方向からカバー５２，５５により、基板５３、電池５４、および鍵挿入検出部１０１を挟み込むように内蔵している。また、カバー５２，５５は、それぞれ対応する位置に設けられた穴部を通してネジ５１−１乃至５１−４により螺合されている。また、ホルダ部１１ｂには、棒状の鍵部１１ａが挿入されて固定されている。
【００４７】
ホルダ部１１ｂは、カバー５２，５５により特殊なロックネジ等からなるネジ５１−１乃至５１−４により羅合されることにより、封印されており分解不能に構成されている。この封印により内部に収納された部材や鍵部１１ａが、不正に交換できない構成となっている。尚、封印は、特殊ネジを用いる例を示しているが封印が可能であれば、その他の構成でもよく、例えば、封印シール等によるものでもよい。
【００４８】
ホルダ部１１ｂにおける棒状の鍵部１１ａの根本付近には、錠挿込検出部１１ｃが設けられている。この錠挿込検出部１１ｃは、ドグ式メカニカルスイッチを構成しており、鍵１１の鍵部１１ａが錠前の鍵穴に差し込まれて、鍵部１１ａ全体が鍵穴に挿入されると、図示せぬ錠に当接することで押し込まれる構成となっている。鍵挿入検出部１０１は、錠挿込検出部１１ｃの動きを検出することにより、鍵１１の鍵部１１ａが鍵穴に挿入されたことを認識し、挿入を認識したとき、対応する信号を制御部１０５に出力する。尚、この実施例においては、錠挿込検出部１１ｃは、ドグ式メカニカルスイッチで構成されている例について示しているが、ドグの先端の磨耗などを考慮した場合、円盤状の面受け部材を配置し、このドグの摺動による磨耗対策を施すことで対応するようにしてもよい。また、メカニカルスイッチのノーマルオープンタイプは電池寿命を考慮した場合、最も有効な手段となるが、これに以外の実現手段として逆論理のメカニカルスイッチ、近接スイッチ、またはフォトセンサなどで構成するようにしてもよい。
【００４９】
鍵１１のホルダ部１１ｂの内部には、鍵挿入検出部１０１、加速度センサ１０２、磁気センサ１０３、ＧＰＳ１０４、制御部１０５、公衆回線通信部１０６、ＡＰ通信部１０７、状態確認部１０８、電源制御部１２１、および電池５４が設けられている。尚、図４においては、電源制御部１２１が描かれていないが、ホルダ部１１ｂの内部に設けられている。
【００５０】
鍵挿入検出部１０１は、上述したように錠挿込検出部１１ｃの動きを検出することにより、鍵１１の鍵部１１ａが鍵穴に挿入された状態であるか否かを検出し、挿入が検出された場合、対応する信号を発生して、制御部１０５に供給する。
【００５１】
加速度センサ１０２は、図４の棒状の鍵部１１ａおよびホルダ部１１ｂの姿勢と動きを、図４のＸＹＺ軸の３軸方向で加速度を検出し、この検出結果を制御部１０５に供給する。制御部１０５は、このＸＹＺ軸方向の加速度により、鍵１１の鍵部１１ａ、およびホルダ部１１ｂの傾き、および移動量を求め、これにより回転動作を検出する。
【００５２】
磁気センサ１０３は、地磁気に対するＸＹＺ軸方向のそれぞれのずれを検出し、制御部１０５に供給する。磁気センサ１０３により検出される地磁気に対するずれの情報は、加速度センサ１０２により検出される加速度により求められる傾き、および移動量の情報に加えて利用されることにより、方位に対する傾き、および移動量を求めることが可能となる。尚、鍵１１の動作状態の履歴を求めるためには、磁気センサ１０３は、必ずしも必要な機能ではないため、省略するようにしてもよいものである。
【００５３】
ＧＰＳ（Global Positioning System）１０４は、図示せぬ複数の衛星からの信号を受信することにより、地球上の位置、すなわち、緯度および経度の情報を取得する。
【００５４】
公衆回線通信部１０６は、図１における公衆回線２３を介してホールコンピュータ２２と通信する。ＡＰ通信部１０７は、ＡＰ１３との通信に使用されるものであり、例えば、ブルートゥースなどの無線通信により構成される。ＡＰ通信部１０７は、制御部１０５により制御されてＡＰ１３との通信をする際、制御部１０５に内蔵される、図示せぬメモリにより記憶されている、鍵１１のそれぞれに設定される固有の固体識別番号を、送信データのヘッダ部に付して通信する。このため、ＡＰ１３を介して通信するホールコンピュータ２２は、通信相手となる送信データがどの鍵１１からのものであるかを認識することができる。同様に、ホールコンピュータ２２からＡＰ１３を介して鍵１１に対して送信される送信データのヘッダ部についても、宛先を特定するために固体識別番号が付されている。このため、鍵１１においても、どのデータが自らを宛先にしたデータであるのかを認識することができ、自らを宛先にしたデータだけを受信することができる。
【００５５】
状態確認部１０８は、制御部１０５からの制御信号に基づいて発光する複数のLED（Light Emission Diode）などからなる鍵１１の動作状態を示す表示部であり、例えば、図４で示されるように、３個のLEDである。状態確認部１０８は、この３個のLEDの発光パターンを切り替えることにより動作状態を表示する。動作状態としては、例えば、電池の充電中、満充電、通信エラー発生、バッテリエラー発生、および鍵１１の鍵部１１ａが鍵穴に挿入中であるなどの動作状態を含み、それらの動作状態に応じた表示状態に切り替えて表示する。タイマ１０９は、所定の時間間隔でカウントするタイマカウンタからなり、タイマカウンタのカウント値を順次制御部１０５に供給する。
【００５６】
電源制御部１２１は、鍵収納庫２１内で鍵１１が鍵収納検出部３１に収納された状態において、鍵収納庫２１の電源部１５１からの電力供給を受けて、制御部１０５に電力を供給することで、鍵１１の全体に電力を供給すると共に、電池５４を充電させる。さらに、電源制御部１２１は、鍵１１が鍵収納検出部３１に収納されていない状態において、電池５４より供給される電力を制御部１０５に供給し、鍵１１の全体に電力を供給する。
【００５７】
制御部１０５は、マイクロプロセッサなどからなり、鍵１１の動作の全体を制御する。より具体的には、制御部１０５は、挿入認識部１０５ａ、状態認識部１０５ｂ、残電圧認識部１０５ｃ、位置認識部１０５ｄ、および時間計測部１０５ｅを備えている。挿入認識部１０５ａは、鍵挿入検出部１０１より供給されてくる信号に応じて、鍵１１の鍵部１１ａが鍵穴に挿入されているか否かを認識する。状態認識部１０５ｂは、電源制御部１２１からの電力供給状態に基づいて、電池５４の充電中、または満充電であるといった動作状態を認識する。また、状態認識部１０５ｂは、ＡＰ通信部１０７がＡＰ１３と通信できない状態であるとき、通信エラーの発生を認識する。さらに、状態認識部１０５ｂは、挿入認識部１０５ａにより鍵１１の鍵部１１ａが鍵穴に挿入中であることが認識された場合、鍵部１１ａが鍵穴に挿入中であることを認識する。また、状態認識部１０５ｂは、加速度センサ１０２、および磁気センサ１０３の検出結果である図４で示されるＸＹＺ方向の加速度、および地磁気に対するずれの情報に基づいて、鍵１１が、挿入状態のままであるか、右回転である、または左回転であるかといった動作状態を認識する。さらに、状態認識部１０５ｂは、残電圧認識部１０５ｃにより検出される電池５４の残電圧の情報に基づいて、残電圧が少ないとき、バッテリエラーを認識し、要充電であることを認識する。状態認識部１０５ｂは、認識した動作状態に対応して状態確認部１０８を構成するLEDの発光状態を制御することで、動作状態を表示する。
【００５８】
残電圧認識部１０５ｃは、電源制御部１２１を介して電池５４の残電圧の情報を取得して認識する。位置認識部１０５ｄは、ＧＰＳ１０４により発生される信号により位置情報、すなわち、地球上の緯度および経度の情報を読み取る。時間計測部１０５ｅは、タイマ１０９より所定時間間隔でカウントされるカウント値に基づいて、経過時間を計測する。
【００５９】
［鍵収納庫の構成例］
次に、図６を参照して、鍵収納庫２１により実現される機能について説明する。
【００６０】
鍵収納庫２１は、鍵収納検出部３１−１乃至３１−ｎ、電源部１５１、電源入力端子１５２、制御部１５３、入出力端子１５４、表示部１５５、および通信部１５６を備えている。
【００６１】
電源部１５１は、制御部１５３により制御され、鍵収納検出部３１に鍵１１が収納されている状態において、電源に接続された電源入力端子１５２が供給する電力を鍵１１の電源制御部１２１に供給して、電池５４を充電させる。また、電源部１５１は、制御部１５３に電力を供給することにより、鍵収納庫２１の全体に電力を供給する。
【００６２】
制御部１５３は、マイクロプロセッサなどからなり、鍵収納庫２１の動作の全体を制御している。より詳細には、制御部１５３は、収納認識部１５３ａ、表示制御部１５３ｂおよび充電制御部１５３ｃを備えている。収納認識部１５３ａは、鍵収納検出部３１からの信号に基づいて、鍵１１が収納されたか否かを認識する。表示制御部１５３ｂは、各種の表示画像を生成し、表示部１５５に表示する。通信部１５６は、ＡＰ１３のそれぞれとブルートゥースなどの無線により通信する。
【００６３】
充電制御部１５３ｃは、電源部１５１より供給されてくる鍵１１の電池５４の残電圧の情報に基づいて、充電状態を監視し、充電が完了したとみなした場合、電源部１５１により充電を終了させる。入出力端子１５４は、ホールコンピュータ２２と通信可能に接続されており、各種の情報を授受する。表示部１５５は、LCD（Liquid Crystal Display）もしくは有機ELピュータ２２のLCD（Liquid Crystal Display）や有機ELなど、または、LEDなどの表示ボタンなどからなり、鍵収納庫２１の動作状態を表示する。
【００６４】
［ＡＰの構成例］
次に、図７のブロック図を参照して、ＡＰ１３の構成例について説明する。
【００６５】
ＡＰ１３は、制御部１７１、入出力端子１７２、電源回路１７３、入力端子１７４、表示部１７５、および通信部１７６を備えている。制御部１７１は、マイクロプロセッサなどからなり、所定のプログラムを実行することにより、ＡＰ１３の動作全体を制御している。入出力端子１７２は、電源供給ライン１８２に接続されており、電源供給ライン１８２より供給されてくる電力を電源回路１７３を介して制御部１７１に供給する。また、電源供給ライン１８２を介してＡＰ１３間で通信したり、または、ホールコンピュータ２２に通信する場合、入出力端子１７２は、他のＡＰ１３またはホールコンピュータ２２との通信により様々なデータ、またはプログラムなどを授受する。
【００６６】
入力端子１７４は、遊技機１８１−１乃至１８１−３からの扉、または枠の開閉、またはリセットを示す信号の入力を受け付けて制御部１７１に供給する。制御部１７１は、この入力端子１７４に入力された信号の情報を入出力端子１７２、および電源供給ライン１８２を介して、または、通信部１７６より無線通信を介してホールコンピュータ２２に送信する。
【００６７】
表示部１７５は、LCD（Liquid Crystal Display）または有機EL（Electronic Luminescent）などからなり、通信状態や動作状態などを示す各種の情報を表示する。通信部１７６は、鍵１１のＡＰ通信部１０７と通信し、各種の情報を授受する。また、通信部１７６は、電波強度検出部１７６ａを備えており、鍵１１との通信をする際、その電波の受信強度を検出する。
【００６８】
［鍵管理システムにおける通信構成］
次に、図８を参照して、本技術の鍵管理システムにおける通信構成について説明する。
【００６９】
ＡＰ１３は、電源供給ライン１８２などの有線通信により、他のＡＰ１３、およびホールコンピュータ２２と通信する場合、例えば、図８の右部で示されるように接続される。すなわち、図８の右部においては、島設備毎にハブとなるＡＰ１３−２０，１３−４０，１３−６０，１３−８０が存在し、それぞれの島設備に接続されている遊技機に対応する位置にＡＰ１３−１乃至１３−１９，１３−２１乃至１３−３９，１３−４１乃至１３−５９，１３−６１乃至１３−７９が電源供給ライン１８２により接続されている。そして、島設備毎にハブとなるＡＰ１３−２０，１３−４０，１３−６０，１３−８０が、それぞれホールコンピュータ２２と接続されており、ＡＰ１３間、およびホールコンピュータ２２との通信により各種のデータ、およびプログラムを授受している。そして、各ＡＰ１３は、鍵１１−１乃至１１−ｎと無線通信によりデータ、またはプログラム等を授受する。
【００７０】
また、通信構成としては、図８の左部で示されるように、ＡＰ１３間、並びにＡＰ１３、およびホールコンピュータ２２間についても無線通信とするようにしてもよい。この場合、特にハブ等を設ける必要はないので、図８の左部で示されるように、ＡＰ１３−１乃至１３−８０とホールコンピュータ２２と、さらに、鍵１１−１乃至１１−ｎは、それぞれ並列に接続できる関係となる。尚、図８においては、ＡＰ１３−１乃至１３−８０、および鍵１１−１乃至１１−ｎが設けられる場合についての構成が図示されているが、ＡＰ１３、および鍵１１は、それぞれ、これ以外の個数であってもよいものである。
【００７１】
［ホールコンピュータの構成例］
次に、図９を参照して、ホールコンピュータ２２の構成例について説明する。
【００７２】
ホールコンピュータ２２は、制御部１９１、電源回路１９２、表示部１９３、通信部１９４、RTC（Real Time Clock）１９５、ウェイトタイマ１９６、データストレージ１９７、公衆回線通信部１９８、および操作部１９９を備えている。制御部１９１は、マイクロプロセッサなどからなり、所定のプログラムを実行することにより、ホールコンピュータ２２の動作の全体を制御している。
【００７３】
より詳細には、制御部１９１は、持出番号テーブル１９１ａ、履歴時間テーブル１９１ｂ、未接続時間テーブル１９１ｃ、ＡＰテーブル１９１ｄ、電波強度テーブル１９１ｅ、履歴管理テーブル１９１ｆ、位置特定部１９１ｇ、および動線履歴表示制御部１９１ｈを備えている。尚、持出番号テーブル１９１ａ、履歴時間テーブル１９１ｂ、未接続時間テーブル１９１ｃ、ＡＰテーブル１９１ｄ、電波強度テーブル１９１ｅ、および、履歴管理テーブル１９１ｆは、管理すべきデータを格納するテーブルそのものであると共に、テーブルを管理する管理機能をも備えたものである。
【００７４】
持出番号テーブル１９１ａは、鍵収納庫２１より持ち出された鍵１１を個別に識別する固体識別番号をテーブルとして管理する。履歴時間テーブル１９１ｂは、鍵１１を個別に識別する固体識別番号に対応付けて、鍵収納庫２１より持ち出された時刻、および返却時刻の情報をテーブルとして管理する。未接続時間テーブル１９１ｃは、鍵１１を識別する固体識別番号毎にＡＰ１３との通信が最近された時刻から経過している時間をテーブルとして管理する。ＡＰテーブル１９１ｄは、ＡＰ１３と、そのＡＰ１３が対応付けて設置されている最寄の遊技機の遊技機番号（台番号）とを対応付けてテーブルとして管理する。電波強度テーブル１９１ｅは、鍵１１を識別する固体識別番号とＡＰ１３を識別する固体識別番号とに対応付けて、ＡＰ１３が鍵１１との通信により受信される電波強度をテーブルとして管理する。
【００７５】
履歴管理テーブル１９１ｆは、通信部１９４を介して、ＡＰ１３を介して供給されてくる鍵１１の動作状態の情報、鍵１１の固体識別番号、およびＡＰ１３を介して接続されている遊技機１８１の開閉状態の情報を、RTC１９５により発生される時刻情報に対応付けたテーブルからなる履歴として記憶し管理する。位置特定部１９１ｇは、電波強度テーブル１９１ｅに格納されている電波強度の分布に基づいて、鍵１１それぞれの位置を特定する。すなわち、位置特定部１９１ｇは、例えば、鍵１１毎に最も強い電波強度で通信しているＡＰ１３が対応付けて設置されている遊技機番号（台番号）の遊技機の付近の位置を鍵１１の位置であるものとして特定する。位置特定部１９１ｇは、この他にも、例えば、鍵１１毎に所定の閾値よりも強い電波強度で通信しているＡＰ１３が対応付けて設置されている遊技機番号（台番号）の遊技機の付近の位置の重心位置を求めて、これを鍵１１の位置として特定するようにしてもよい。動線履歴表示制御部１９１ｈは、履歴管理テーブル１９１ｆにより管理される時刻情報に対応付けて、鍵１１の位置の情報をトレースすることにより、鍵１１毎の移動による動線履歴を生成して表示部１９３に表示する。
【００７６】
電源回路１９２は、図示せぬ電源より電力の供給を受けて、制御部１９１をはじめとして、動作に必要とされる電力を供給する。表示部１９３は、表示部２２ａと同一のものであり、LCDや有機ELなどからなり、制御部１９１より供給されてくる各種のデータを表示する。通信部１９４は、ＡＰ１３と無線、または有線により通信し、各種のデータ、またはプログラム等を授受する。RTC１９５は、実時間の時刻情報を発生して制御部１９１に供給する。ウェイトタイマ１９６は、鍵１１の位置を特定する時間間隔を計測するタイマカウンタである。したがって、鍵１１の位置情報は、ウェイトタイマ１９６により計測される所定時間間隔で求められて、履歴情報として登録される。データストレージ１９７は、半導体メモリ、またはハードディスクなどからなるデータ格納装置であり、各種のテーブルや履歴情報を記憶すると共に、必要に応じて読み出す。操作部１９９は、操作部２２ｂと同一のものであり、操作ボタンやキーボードからなり、使用者の操作に応じた操作信号を発生して制御部１９１に出力する。
【００７７】
［鍵による鍵管理処理］
次に、図１０のフローチャートを参照して、鍵１１による鍵管理処理について説明する。
【００７８】
ステップＳ１において、制御部１０５は、時間計測部１０５ｅを制御して、タイマ１０９を初期化させ、タイマとしてのカウント値のカウントを開始させる。
【００７９】
ステップＳ２において、制御部１０５の残電圧認識部１０５ｃは、電源制御部１２１を制御して電池５４の充電電圧を問い合わせ、今現在の残電圧を取得し、残電圧をバッテリ残量として確認する。
【００８０】
ステップＳ３において、残電圧認識部１０５ｃは、残電圧に基づいて、満充電の充電状態におけるバッテリ残量を１００％としたとき、今現在のバッテリ残量が２０％未満であるか否かを判定する。ステップＳ３において、充電状態が２０％未満ではないと判定された場合、処理は、ステップＳ４に進む。
【００８１】
ステップＳ４において、残電圧認識部１０５ｃは、今現在のバッテリ残量の情報である残電圧の情報を記憶する。
【００８２】
ステップＳ５において、制御部１０５は、挿入認識部１０５ａを制御して、鍵挿入検出部１０１から、鍵１１が、図示せぬ錠前の鍵穴に挿入されたことを示す信号が供給されてきているか否かを確認する。ステップＳ５において、例えば、鍵１１の鍵部１１ａが、図示せぬ鍵穴に挿入されることにより、錠挿込検出部１１ｃが錠に当接して、鍵１１のホルダ部１１ｂに向かって押圧される。これにより、鍵挿入検出部１０１が錠挿込検出部１１ｃの動きを検出して、鍵１１が鍵穴に挿入されていることを示す信号が出力されると、鍵挿入検出部１０１は鍵１１の挿入を認識する。また、鍵１１の鍵部１１ａが、図示せぬ鍵穴に挿入されなければ、鍵１１が鍵穴に挿入されていことを示す信号が出力されないことになるので、鍵挿入検出部１０１は、挿入されたことを示す信号を出力しないことを認識する。
【００８３】
ステップＳ６において、挿入認識部１０５ａは、チャタリング防止処理を実行し、鍵１１が確実に鍵穴に挿入されているか否かを確認する。ここで、チャタリング防止処理とは、挿入確認部１０５ａが、鍵挿入検出部１０１からの信号を所定の時間間隔（例えば、2ms程度）で読み出し、所定回数（例えば、３回）だけ連続して、鍵１１が鍵穴に挿入されていることを示す信号が出力されてくるか否かにより確実に挿入されているか否かを判定する処理である。すなわち、鍵穴に挿入されていない状態であるにもかかわらず、鍵挿込検出部１１ｃが別の何らかの物体に当接して押圧されるようなことがあると、鍵挿入検出部１０１は、鍵挿込検出部１１ｃの動きを検出して、鍵穴に鍵１１が挿入されていることを示す信号を出力してしまうことが考えられる。一般に、この信号は、一瞬のパルス状のチャタリング信号として発生されることになるが、挿入認識部１０５ａが、このチャタリング信号だけで挿入されているか否かを判定すると、鍵１１が鍵穴に挿入されていないにも拘らず、挿入されているものと誤認識する恐れがある。通常、鍵穴に鍵１１が挿入されるときには、鍵挿込検出部１１ｃは、所定時間以上押圧される状態になるものと考えられる。そこで、チャタリング防止処理により、鍵挿入検出部１０１からの信号が一定期間継続して出力される信号であるか否かに基づいて、チャタリング信号であるか否かを判別し、鍵１１が鍵穴に挿入されていないにも関わらず、挿入されているものと誤認識するのを防止している。
【００８４】
ステップＳ７において、挿入認識部１０５ａは、チャタリング防止処理により、鍵１１が鍵穴に確実に挿入されていると判定されたか否かを判定する。ステップＳ７において、例えば、鍵１１が鍵穴に挿入されていると判定された場合、処理は、ステップＳ８に進む。
【００８５】
ステップＳ８において、状態認識部１０５ｂは、加速度センサ１０２より供給されてくるＸＹＺ軸方向の加速度の情報を取得する。
【００８６】
ステップＳ９において、状態認識部１０５ｂは、磁気センサ１０３より供給されてくる地磁気に対するＸＹＺ軸方向のずれの情報を取得する。
【００８７】
ステップＳ１０において、状態認識部１０５ｂは、ＸＹＺ軸方向の加速度、および地磁気に対するＸＹＺ軸方向のずれの情報に基づいて、鍵１１の動作状態を認識する。より具体的には、ＸＹＺ軸方向の加速度、および地磁気に対するＸＹＺ軸方向のずれの情報に基づいて、鍵１１が鍵穴に対して挿入されたままの状態であることを示す挿入姿勢、右に回転されたことを示す右回転、または、左に回転されたことを示す左回転のいずれかの動作状態を認識する。
【００８８】
ステップＳ１１において、制御部１０５は、ＡＰ通信部１０７を制御して、通信可能な範囲に存在する全てのＡＰ１３に対して通信を開始させる。
【００８９】
ステップＳ１２において、制御部１０５は、ＡＰ通信部１０７により、通信可能なＡＰ１３が存在し、ＡＰ１３との通信が可能な状態となっているか否かを判定する。ステップＳ１２において、例えば、ＡＰ通信部１０７が通信可能なＡＰ１３が存在し、ＡＰ１３との通信が可能な状態となっている場合、処理は、ステップＳ１３に進む。
【００９０】
ステップＳ１３において、制御部１０５は、ＡＰ通信部１０７を制御して、挿入認識部１０５ａにより認識されている挿入状態の情報、残電圧認識部１０５ｃにより認識されているバッテリ残量、および認識された動作状態の情報を動作履歴としてＡＰ１３に送信させる。そして、処理は、ステップＳ１８に進む。すなわち、ここで、動作履歴として送信される動作状態の情報とは、例えば、鍵１１が鍵穴に対して挿入されたままの状態であることを示す挿入姿勢、右に回転されたことを示す右回転、または、左に回転されたことを示す左回転のいずれかの動作状態を示す情報である。
【００９１】
一方、ステップＳ１２において、例えば、ＡＰ通信部１０７により通信可能なＡＰ１３が存在せず、通信状態なＡＰ１３が存在しない場合、処理は、ステップＳ１４に進む。
【００９２】
ステップＳ１４において、状態認識部１０５ｂは、状態確認部１０８を制御して、通信エラーが発生していることを表示させる。状態確認部１０８が、例えば、図４で示されるような３個のLEDから構成される場合、状態認識部１０５ｂは、その発光パターンを制御して、通信エラーが発生していることを表示させる。そして、処理は、ステップＳ１８に進む。
【００９３】
さらに、ステップＳ３において、バッテリ残量が２０％未満であると判定された場合、ステップＳ１５において、状態認識部１０５ｂは、バッテリ残量の不足によるエラーが発生していることを認識する。このとき、状態認識部１０５ｂは、状態確認部１０８を制御して、バッテリ残量の不足によるエラーが発生していることを表示させる。状態確認部１０８が、例えば、図４で示されるような３個のLEDから構成される場合、状態認識部１０５ｂは、その発光パターンを制御して、バッテリ残量の不足によるエラーが発生していることを表示させる。そして、処理は、ステップＳ１８に進む。
【００９４】
また、ステップＳ７において、例えば、鍵１１が鍵穴に挿入されていないと判定された場合、処理は、ステップＳ１６に進む。
【００９５】
ステップＳ１６において、状態認識部１０５ｂは、鍵１１の挿入がなく、使用されていないことを示す動作状態を認識する。
【００９６】
ステップＳ１７において、状態認識部１０５ｂは、時間計測部１０５ｅを制御して、ＡＰ通信部１０７により最新の動作履歴が送信されたタイミングからの経過時間の情報を読み出させ、所定の時間（例えば、１秒）が経過しているか否かを判定する。例えば、ステップＳ１７において、所定の時間が経過していないと判定された場合、処理は、ステップＳ５に戻る。また、ステップＳ１７において、所定の時間が経過していると判定された場合、処理は、ステップＳ１１に進む。
【００９７】
すなわち、鍵１１の挿入が検出されて、鍵１１の使用が認められると、そのときの動作状態が動作履歴としてＡＰ通信部１０７よりＡＰ１３に送信されると共に、鍵１１の挿入の検出がなく、鍵１１の使用が認められない状態であっても、所定の時間毎に使用がなかったという動作状態が動作履歴としてＡＰ通信部１０７よりＡＰ１３に送信される。
【００９８】
ステップＳ１８において、制御部１０５は、公衆回線通信部１０６およびＡＰ通信部１０７を制御して、公衆回線２３（図１）を介してホールコンピュータ２２から通信を開始させる要求、または、ＡＰ通信部１０７より鍵収納庫２１から通信を開始させる要求があるか否かを判定する。ステップＳ１８において、例えば、後述する図１１のステップＳ３３の処理により、ＡＰ通信部１０７を介して通信を開始させる要求がある場合、または、例えば、後述する図１７のステップＳ１９７の処理により、公衆回線２３を通じて通信を開始させる要求がある場合、ステップＳ１９において、制御部１０５は、公衆回線通信部１０６またはＡＰ通信部１０７を制御して、固体識別番号をヘッダ部に付した送信データを生成した応答データをホールコンピュータ２２または鍵収納庫２１に対して送信させる。
【００９９】
ステップＳ２０において、制御部１０５は、公衆回線通信部１０６を制御して、ホールコンピュータ２２から公衆回線２３を通じて、鍵１１のＧＰＳ１０４による地球上の緯度経度からなる位置情報が要求されてきたか否かを判定する。ステップＳ２０において、例えば、後述する図１７のステップＳ１９９の処理によりホールコンピュータ２２より位置情報が要求されてきた場合、処理は、ステップＳ２１に進む。
【０１００】
ステップＳ２１において、制御部１０５は、ＧＰＳ１０４を制御して、図示せぬ衛星からの情報に基づいて、地球上の位置、すなわち、緯度、および経度からなる位置情報を取得する。
【０１０１】
ステップＳ２２において、制御部１０５は、公衆回線通信部１０６を制御して、公衆回線を通じて、ＧＰＳ１０４より取得した位置情報に対応付けてホールコンピュータ２２に送信する。この際、制御部１０５は、位置情報からなるデータのヘッダ部に自らを識別する固体識別情報を付して、公衆回線通信部１０６を制御して、公衆回線２３を介してホールコンピュータ２２に送信する。尚、ステップＳ２０において、ホールコンピュータ２２から公衆回線２３を通じて、鍵１１のＧＰＳ１０４による地球上の緯度経度からなる位置情報が要求されないと判定された場合、鍵収納庫２１からの通信要求であったものとみなし、ステップＳ２１，Ｓ２２の処理はスキップされる。
【０１０２】
ステップＳ２３において、電源制御部１２１は、鍵収納庫２１より電力供給を受けているか否かを判定する。ステップＳ２２において、例えば、後述する図１１のステップＳ３８の処理により、鍵収納庫２１から電力供給を受けている場合、ステップＳ２４において、電源制御部１２１は、電池５４に対して電力を供給して充電させ、処理は、ステップＳ１に戻る。尚、この間、電源制御部１２１は、鍵収納庫２１から電池５４の残電圧について問い合わせを受けるとき、残電圧の情報を鍵収納庫２１に供給する。
【０１０３】
ステップＳ２３において、例えば、後述する図１１のステップＳ３８の処理により、鍵収納庫２１から電力供給を受けていない場合、ステップＳ２３の処理はスキップされる。すなわち、この場合、電源制御部１２１は、電池５４への充電を行わない。
【０１０４】
以上の処理により、鍵１１の挿入が検出されるときには、そのときに検出される動作状態が動作履歴としてＡＰ１３間通信によりＡＰ通信部１０７からホールコンピュータ２２に送信される。また、ＡＰ通信部１０７を介してホールコンピュータ２２に対して直前に動作履歴が送信されたタイミングから所定時間が経過すると、動作状態が何も検出されない状態、すなわち、鍵１１の使用がないことを示す情報が動作履歴としてＡＰ通信部１０７を通じてホールコンピュータ２２に送信される。したがって、公衆回線通信部１０６は、少なくとも所定時間間隔で、または、動作状態が検出されたときには、そのタイミングで動作履歴をホールコンピュータ２２に供給し続けることが可能となる。また、鍵１１は、ホールコンピュータ２２から公衆回線２３を介して、位置情報が要求されると、ＧＰＳ１０４が制御されて地球上の緯度および経度の情報からなる位置情報が取得されて、公衆回線通信部１０６より公衆回線２３を介してホールコンピュータ２２に対して位置情報が送信される。
【０１０５】
［鍵収納庫による鍵管理処理］
次に、図１１のフローチャートを参照して、鍵収納庫による鍵管理処理について説明する。
【０１０６】
ステップＳ３１において、制御部１５３は、鍵収納検出部３１のいずれか未処理のものを処理対象に設定する。
【０１０７】
ステップＳ３２において、制御部１５３は、収納認識部１５３ａを制御して、処理対象に設定した鍵収納検出部３１から出力される信号に基づいて、鍵１１が収納されたことが検出されているか否かを判定させる。ステップＳ３２において、例えば、鍵１１が鍵収納庫２１に収納されることにより、鍵収納検出部３１から鍵１１が収納されたことを示す信号が出力されると、収納認識部１５３ａは、鍵１１が収納されたことを認識し、処理は、ステップＳ３３に進む。
【０１０８】
ステップＳ３３において、制御部１５３は、通信部１５６を制御して、鍵１１に対して通信を要求する。
【０１０９】
ステップＳ３４において、制御部１５３は、通信部１５６を制御して、鍵１１からの応答があり通信が可能であるか否かを判定する。ステップＳ３４において、鍵１１からの応答がなく、通信ができない場合、ステップＳ３５において、制御部１５３は、表示部１５５を制御して、通信ができない通信エラーであることを表示し、処理は、ステップＳ３３に戻る。すなわち、通信が可能となるまで、ステップＳ３３乃至Ｓ３５の処理が繰り返される。
【０１１０】
そして、ステップＳ３４において、例えば、鍵１１からの応答データが送信されてきており、そのヘッダ部に付されている固体識別番号の情報が取得でき、通信が可能であるとみなされると、処理は、ステップＳ３６に進む。
【０１１１】
ステップＳ３６において、制御部１５３は、表示制御部１５３ｂを制御して、鍵１１が処理対象となっている鍵収納検出部３１に対して収納されたことを表示部１５５に表示させ、処理は、ステップＳ３７に進む。この表示により、どの鍵収納検出部３１に鍵１１が収納されたかが表示される。
【０１１２】
ステップＳ３７において、制御部１５３は、入出力端子１５４を介して、ホールコンピュータ２２に対して、処理対象となる鍵収納検出部３１に対して鍵１１が返却されたことを示す返却情報を通知する。この際、制御部１５３は、処理対象となる鍵収納検出部３１を特定する情報と共に、通信の開始要求に対しての応答信号に含まれる鍵１１の固体識別番号の情報を送信する。この情報によりホールコンピュータ２２は、どの鍵１１が、どの鍵収納検出部３１に返却されたのかを認識することができる。
【０１１３】
一方、ステップＳ３２において、例えば、鍵１１が鍵収納庫２１に収納されることなく、鍵収納検出部３１から鍵１１が収納されたことを示す信号が出力されない場合、ステップＳ３８において、制御部１５３は、表示制御部１５３ｂを制御して、鍵１１が処理対象となっている鍵収納検出部３１に対して収納されていないこと、すなわち、未収納を表示部１５５に表示させる。
【０１１４】
ステップＳ３９において、制御部１５３は、入出力端子１５４を介して、ホールコンピュータ２２に対して、処理対象となる鍵収納検出部３１に対して収納されていた鍵１１が持ち出されていることを示す持出情報を通知し、処理は、ステップＳ４４に進む。この際、制御部１５３は、処理対象となる鍵収納検出部３１を特定する情報と共に、持ち出される前に収納されるときに、通信の開始要求に対しての応答信号に含まれる鍵１１の固体識別番号の情報を送信する。この情報によりホールコンピュータ２２は、どの鍵１１が、どの鍵収納検出部３１から持ち出されたのかを認識することができる。
【０１１５】
ステップＳ４０において、制御部１５３は、充電制御部１５３ｃを制御して、電源部１５１より処理対象となる鍵収納検出部３１に収納された鍵１１の電源制御部１２１に対して電池５４の残電圧の情報を要求して取得すると共に、取得した残電圧の情報から充電が必要であるか否かを判定させる。ステップＳ４０において、充電が必要であると判定された場合、処理は、ステップＳ４１に進む。
【０１１６】
ステップＳ４１において、制御部１５３は、充電制御部１５３ｃを制御して、対象となる鍵収納検出部３１に収納されている鍵１１に対して電力を供給して、電池５４を充電させる。
【０１１７】
ステップＳ４２において、制御部１５３は、表示制御部１５３ｂを制御して、表示部１５５に収納された鍵１１が充電中であることを示す情報を表示させ、処理は、ステップＳ４４に進む。
【０１１８】
また、ステップＳ４０において、取得した残電圧から電池５４の充電状態が満充電であり、充電不要であるとみなされた場合、ステップＳ４３において、制御部１５３は、表示制御部１５３ｂを制御して、表示部１５５に収納された鍵１１が満充電であり充電完了であることを示す情報を表示させ、処理は、ステップＳ４４に進む。
【０１１９】
ステップＳ４４において、制御部１５３は、未処理の鍵収納検出部３１が存在するか否かを判定する。ステップＳ４４において、例えば、未処理の鍵収納検出部３１が存在する場合、処理は、ステップＳ３１に戻る。すなわち、未処理の鍵収納検出部３１がなくなるまで、ステップＳ３１乃至Ｓ４４の処理が繰り返される。そして、ステップＳ４４において、未処理の鍵収納検出部３１が存在しないとみなされた場合、処理は、ステップＳ４５に進む。
【０１２０】
ステップＳ４５において、制御部１５３は、全ての鍵収納検出部３１を未処理であるものとみなし、処理は、ステップＳ４６に進む。
【０１２１】
ステップＳ４６において、制御部１５３は、終了が指示されたか否かを判定し、終了が指示されていない場合、処理は、ステップＳ３１に戻り、それ以降の処理が繰り返される。そして、ステップＳ４６において、終了が指示された、すなわち、電源がオフにされるなど、動作の終了が指示された場合、処理は、終了する。
【０１２２】
以上の処理により、鍵１１を鍵収納庫２１に収納するだけで、どの鍵１１が、どの鍵収納検出部３１に収納されたかを示す返却情報がホールコンピュータ２２に供給される。また、鍵収納庫２１から鍵１１が持ち出されるだけで、どの鍵１１が、どの鍵収納検出部３１より持ち出されたかを示す持出情報がホールコンピュータ２２に供給される。結果として、ホールコンピュータ２２は、鍵１１が鍵収納庫２１に返却されるか、または鍵収納庫２１から持ち出されると、どの鍵１１が返却されたか、または持ち出されたかを認識することが可能となる。また、鍵１１を鍵収納庫２１に収納することにより、充電させることが可能となるので、使用者は、鍵１１を単に鍵収納庫２１から持ち出して使用した後、鍵収納検出部３１に収納させるだけで、充電を特に意識することなく管理することが可能となる。尚、この一連に処理においては、鍵１１を使用して施錠、または開錠させる際に、認証処理などを必要としないため、鍵１１、およびその錠前については、従来からの機械式の鍵と錠前で容易に実現できるので、本技術を導入するにあたり発生するコストを低減することが可能となる。
【０１２３】
以上においては、鍵１１、および鍵収納庫２１との通信は、ブルートゥースなどの無線通信とする例について説明してきたが、通信ができれば手法は問わないものであるため、例えば、充電のために設けられる端子などの近傍位置に通信用の端子を設けて有線通信により通信するようにしてもよい。
【０１２４】
［ＡＰによる鍵管理処理］
次に、図１２のフローチャートを参照して、ＡＰ１３による鍵管理処理について説明する。
【０１２５】
ステップＳ７１において、制御部１７１は、電源がＯＮであるか否かを判定し、電源ＯＮとされるまで、同様の処理が繰り返される。そして、ステップＳ７１において、電源ＯＮの状態にされると、電源ＯＮとされたと判定されて、処理は、ステップＳ７２に進む。
【０１２６】
ステップＳ７２において、制御部１７１は、表示部１７５に電源がＯＮにされたことを示す情報を表示する。
【０１２７】
ステップＳ７３において、制御部１７１は、通信部１７６を制御して、ホールコンピュータ２２により固有に割付けられる接続ＡＰ番号を初期化する。すなわち、このとき、ホールコンピュータ２２は、アクセスしてきたＡＰ１３に対して固有の接続ＡＰ番号を割付ける。制御部１７１は、新規に割付けられた接続ＡＰ番号を自らを識別する固体識別番号として記憶し、自らがデータを送信するとき、通信部１７６を制御して、そのデータのヘッダ部にこの固体識別番号（接続ＡＰ番号）を付して送信させる。また、制御部１７１は、通信部１７６を制御して、送信されてくるデータのうち、ヘッダ部にこの固体識別番号（接続ＡＰ番号）が付されたデータを、自らに宛てられたデータであるものとして受信させる。
【０１２８】
ステップＳ７４において、制御部１７１は、自らで記憶している、通信部１７６により通信接続されている鍵１１の固体識別番号の情報を初期化する。すなわち、初期化処理により、これまで通信部１７６により通信接続されていた鍵１１の固体識別番号が全て消去される。
【０１２９】
ステップＳ７５において、制御部１７１は、入力端子１７４を制御して、遊技機１８１−１乃至１８１−３の扉、または枠に設けられたセンサにより、扉、もしくは枠の開放、または閉鎖を示す遊技機開閉情報を取得する。この場合、遊技機開閉情報は、例えば、扉の開放検知を１、および閉鎖検知を０として、枠の開放検知を１、および閉鎖検知を０とするそれぞれ２ビットの信号とするようにしてもよい。
【０１３０】
ステップＳ７６において、制御部１７１は、通信部１７６を制御して、いずれかの鍵１１との通信接続がなされているか否かを判定する。ステップＳ７６において、例えば、いずれかの鍵１１との通信接続がなされている場合、処理は、ステップＳ７７に進む。
【０１３１】
ステップＳ７７にいて、制御部１７１は、通信部１７６を制御して、今現在通信接続されている鍵１１の固体識別番号を取得すると共に、通信接続される鍵１１の固体識別番号を記憶する。すなわち、通信部１７６が鍵１１と通信接続されている場合、通信接続されている鍵１１より送信されてくるデータのヘッダ部には、鍵１１の固体識別番号が付されているので、この情報に基づいて、固体識別番号を取得する。
【０１３２】
ステップＳ７８において、制御部１７１は、通信部１７６を制御して、通信接続されている鍵１１との通信に際して受信される電波強度の情報を取得させる。すなわち、通信部１７６は、電波強度検出部１７６ａを備えているので、鍵１１との通信に際して使用される電波強度を検出させて、検出結果である電波強度の情報を取得すると、制御部１７１に出力する。
【０１３３】
ステップＳ７９において、制御部１７１は、通信部１７６を制御して、鍵１１より送信されてくる情報に動作履歴としての動作状態の情報が含まれており、かつ、その動作状態の情報が、鍵１１が錠前の鍵穴に挿入されて、挿入状態であるか、または、左右に回転されたことを示す情報であるか否かを判定する。ステップＳ７９において、例えば、上述したステップＳ１３の処理により送信されてくる動作状態の情報が、鍵１１が錠前の鍵穴に挿入されて、挿入状態であるか、または、左右に回転されたことを示す情報ではない場合、処理は、ステップＳ８０に進む。
【０１３４】
ステップＳ８０において、制御部１７１は、通信部１７６を制御して、ホールコンピュータ２２に対して、接続ＡＰ番号、通信接続している鍵１１の固体識別番号、その鍵１１との通信における電波強度、および遊技機開閉情報を送信させ、処理は、ステップＳ８４に進む。尚、この接続ＡＰ番号、接続している鍵１１の固体識別番号、その鍵１１との通信における電波強度、および遊技機開閉情報からなるコマンドを、以降においては、第１ＡＰコマンドと称するものとする。
【０１３５】
一方、ステップＳ７９において、例えば、上述したステップＳ１３の処理により送信されてくる動作状態の情報が、鍵１１が錠前の鍵穴に挿入されて、挿入状態であるか、または、左右に回転されたことを示す情報である場合、処理は、ステップＳ８１に進む。
【０１３６】
ステップＳ８１において、制御部１７１は、通信部１７６を制御して、ホールコンピュータ２２に対して、鍵１１の挿入、および回転が検知されたことを示す情報と共に、接続ＡＰ番号、接続している鍵１１の固体識別番号、その鍵１１との通信における電波強度、および遊技機開閉情報を送信させ、処理は、ステップＳ８４に進む。尚、この鍵１１の挿入、および回転が検知されたことを示す情報と共に、接続ＡＰ番号、通信接続している鍵１１の固体識別番号、その鍵１１との通信における電波強度、および遊技機開閉情報からなるコマンドを、以降においては、第２ＡＰコマンドと称するものとする。
【０１３７】
一方、ステップＳ７６において、例えば、いずれの鍵１１とも通信接続がなされていない場合、処理は、ステップＳ８２に進む。
【０１３８】
ステップＳ８２において、制御部１７１は、遊技機開閉情報が扉、または枠の開放を示す情報であるか否かを判定する。ステップＳ８２において、遊技機開閉情報が扉、または枠の開放を示す情報である場合、ステップＳ８３において、制御部１７１は、通信部１７６を制御して、ホールコンピュータ２２に対して、遊技機１８１の扉、または枠が開放状態であることを示す遊技機開閉情報のみを送信させる。すなわち、ここでは、ＡＰ１３は、鍵１１と通信接続されていないので、鍵１１が使用されることなく、不正に遊技機１８１の扉、または枠が開放されたことが検出されている。尚、この遊技機１８１の扉、または枠が開放状態であることを示す遊技機開閉情報のみからなるコマンドを、以降においては、第３ＡＰコマンドと称するものとする。
【０１３９】
ステップＳ８４において、制御部１７１は、電源ＯＦＦであるか否かを判定し、電源ＯＦＦとされていないと判定された場合、処理は、ステップＳ７５に戻る。また、ステップＳ８４において、電源ＯＦＦであると判定された場合、処理は、終了する。
【０１４０】
以上の処理によりＡＰ１３は、通信接続された鍵１１からの情報に基づいて、第１ＡＰコマンド乃至第３ＡＰコマンドを生成して、ホールコンピュータ２２に送信する。
【０１４１】
［ホールコンピュータによる鍵管理処理］
次に、図１３のフローチャートを参照して、ホールコンピュータ２２による鍵管理処理について説明する。
【０１４２】
ステップＳ１０１において、制御部１９１は、電源ＯＮであるか否かを判定し、電源ＯＮであると判定されるまで、同様の処理を繰り返す。ステップＳ１０１において、電源ＯＮであると判定された場合、処理は、ステップＳ１０２に進む。
【０１４３】
ステップＳ１０２において、制御部１９１は、持出番号テーブル１９１ａを制御して、登録されている情報を初期化する。
【０１４４】
ステップＳ１０３において、制御部１９１は、履歴時間テーブル１９１ｂを制御して、登録されている情報を初期化する。
【０１４５】
ステップＳ１０４において、制御部１９１は、未接続時間テーブル１９１ｃを制御して登録されている情報を初期化する。
【０１４６】
ステップＳ１０５において、制御部１９１は、鍵１１の使用されている数を管理するための、図示せぬ鍵使用数カウンタを初期化する。
【０１４７】
ステップＳ１０６において、制御部１９１は、鍵１１の位置を所定時間間隔で特定する時間間隔をカウントするウェイトタイマのウェイトタイマカウンタを初期化する。
【０１４８】
ステップＳ１０７において、制御部１９１は、鍵収納庫２１より鍵１１が持ち出されたことを示す持出情報が送信されてきたか否かを判定する。ステップＳ１０７において、例えば、図１１のフローチャートを参照して説明したステップＳ３９の処理により、持出情報が送信されてきたものとみなされた場合、処理は、ステップＳ１０８に進む。
【０１４９】
ステップＳ１０８において、制御部１９１は、持出情報に含まれる持ち出された鍵１１の固体識別番号を読み出し、履歴時間テーブル１９１ｂに登録する。
【０１５０】
ステップＳ１０９において、制御部１９１は、RTC１９５により発生される時刻を読み出し、この持出時刻に対応付けて、持出情報に含まれる持ち出された鍵１１の固体識別番号を履歴時間テーブル１９１ｂに登録する。
【０１５１】
一方、ステップＳ１０７において、持出情報が送信されてきたものとみなせない場合、処理は、ステップＳ１１０に進む。
【０１５２】
ステップＳ１１０において、制御部１９１は、鍵収納庫２１より鍵１１が返却されたことを示す返却情報が送信されてきたか否かを判定する。ステップＳ１１０において、例えば、図１１のフローチャートを参照して説明したステップＳ３７の処理により、返却情報が送信されてきたものとみなされた場合、処理は、ステップＳ１１１に進む。
【０１５３】
ステップＳ１１１において、制御部１９１は、返却情報に含まれる返却された鍵１１の固体識別番号を読み出し、履歴時間テーブル１９１ｂより、その固体識別番号で登録された持出情報を検索する。
【０１５４】
ステップＳ１１２において、制御部１９１は、RTC１９５により発生される時刻を読み出し、返却情報に含まれる返却された鍵１１の固体識別番号に対応付けて登録されているこの持出情報の持出時刻に対応付けて返却時刻の情報を履歴時間テーブル１９１ｂに登録する。
【０１５５】
さらに、ステップＳ１１０において、返却情報が送信されてこない、すなわち、持出情報も返却情報も通知されてこない場合、ステップＳ１０７乃至Ｓ１１２の処理がスキップされる。
【０１５６】
このように持出情報が送信されてくると履歴時間テーブル１９１ｂに持ち出された鍵１１の固体識別番号と持出時刻が登録される。また、その持ち出された鍵１１が返却されることにより返却情報が送信されてくると、履歴時間テーブル１９１ｂに登録された持出情報として登録されている固体識別信号のうち、返却情報に含まれる固体識別情報を検索して、返却時刻の情報を対応付けて登録する。この結果、鍵１１の固体識別情報に基づいて、持出時刻、および返却時刻の情報が履歴時間テーブル１９１ｂで管理される。
【０１５７】
ステップＳ１１３において、制御部１９１は、通信部１９４を制御して、ＡＰ１３より第１ＡＰコマンドが送信されてきたか否かを判定する。ステップＳ１１３において、例えば、図１３のフローチャートを参照して説明したステップＳ８０の処理により第１ＡＰコマンドが送信されてきた場合、処理は、ステップＳ１１４に進む。
【０１５８】
ステップＳ１１４において、制御部１９１は、第１ＡＰコマンドに含まれている電波強度の情報を、接続ＡＰ番号に対応付けて電波強度テーブル１９１ｅに登録する。電波強度テーブル１９１ｅは、例えば、図１４で示されるようなテーブルであり、図中左側で示される各接続ＡＰ番号に対応付けて、各ＡＰ１３が、上部で区別される鍵（１），鍵（２）・・・のそれぞれの鍵１１からどのような電波強度で通信しているのかが示されている。より詳細には、図１４においては、ＡＰ番号０００２で識別されるＡＰ１３が、鍵（１）の固体識別番号の鍵１１と電波強度３０で通信していることが示されている。また、ＡＰ番号０００３のＡＰ１３が、鍵（１）の固体識別番号の鍵１１と電波強度４０で通信していると共に、鍵（２）の固体識別番号の鍵１１と電波強度３０で通信していることが示されている。さらに、ＡＰ番号０００４のＡＰ１３が、鍵（１）の固体識別番号の鍵１１と電波強度５０で通信していると共に、鍵（２）の固体識別番号の鍵１１と電波強度４０で通信していることが示されている。尚、図１４における電波強度については、例えば、受信レベルの最高強度を１００とし、受信できないレベルを０として正規化した値としているが、これ以外の方法で表現するようにしてもよい。
【０１５９】
また、各ＡＰ１３は、図１５で示されるようなＡＰテーブル１９１ｄにより、遊技機１８１に対応付けて登録されている。すなわち、図１５のＡＰテーブル１９１ｄにおいては、遊技機番号（台番号）１０１，１０２，１０３・・・のそれぞれの遊技機１８１の所定の位置に、ＡＰ番号０００１，０００２，０００３・・・のＡＰ１３が設置されていることが示されている。このように、店舗１内に配置された遊技機１８１の位置と、ＡＰ１３の設置位置とが対応付けて登録されているので、図１４の電波強度テーブル１９１ｅの情報は、店舗内１における各鍵１１より発信される電波強度の分布として捉えることができる。このため、図１４における電波強度テーブル１９１ｅの情報から、例えば、鍵（１）、鍵（２）の固体識別番号で識別される鍵１１は、ＡＰ番号０００３のＡＰ１３が設置される遊技機１８１よりも、ＡＰ番号０００４のＡＰ１３が設置される遊技機１８１に近い位置に存在することが推定できる。
【０１６０】
ステップＳ１１５において、制御部１９１は、未接続時間テーブル１９１ｃにアクセスし、電波強度テーブル１９１ｅに電波強度を登録した鍵１１の固体識別番号を検索する。
【０１６１】
ステップＳ１１６において、制御部１９１は、未接続時間テーブル１９１ｃより検索された固体識別番号で登録されている未接続時間を０にリセットする。第１ＡＰコマンド乃至第３ＡＰコマンドのいずれかが送信されてきた場合、通信接続したことになるので、未接続状態が一旦停止するため、その時間を０にリセットする。
【０１６２】
一方、ステップＳ１１３において、第１ＡＰコマンドが送信されてこないとみなされた場合、処理は、ステップＳ１１７に進む。
【０１６３】
ステップＳ１１７において、制御部１９１は、通信部１９４を制御して、ホールコンピュータ２２より第２ＡＰコマンドが送信されてきたか否かを判定する。ステップＳ１１７において、例えば、図１２のフローチャートを参照して説明したステップＳ８１の処理により第２ＡＰコマンドが送信されてきた場合、処理は、ステップＳ１１８に進む。
【０１６４】
ステップＳ１１８において、制御部１９１は、第２ＡＰコマンドに含まれている電波強度の情報を、接続ＡＰ番号に対応付けて電波強度テーブル１９１ｅに登録する。
【０１６５】
ステップＳ１１９において、制御部１９１は、動作履歴保存処理を実行し、第２ＡＰコマンドに含まれている鍵１１の挿入、および回転が検知されたことを示す情報と共に、接続ＡＰ番号、接続している鍵１１の固体識別番号、および遊技機開閉情報を履歴管理テーブル１９１ｆに登録する。そして、処理は、ステップＳ１１５に進む。ここでは、鍵１１の挿入、および回転が検知された状態で、遊技機開閉情報が扉、または枠が開放されていることを示す情報を含むことになるため、鍵１１を用いて正常に遊技機１８１の扉、または枠が開放されたことが履歴管理テーブル１９１ｆに登録されることになる。尚、動作履歴保存処理については、図１７を参照して、詳細を後述する。
【０１６６】
また、ステップＳ１１７において、ＡＰ１３より第２ＡＰコマンドが送信されてきていないと判定された場合、処理は、ステップＳ１２０に進む。
【０１６７】
ステップＳ１２０において、制御部１９１は、通信部１９４を制御して、ＡＰ１３より第３ＡＰコマンドが送信されてきたか否かを判定する。ステップＳ１２０において、例えば、図１２のフローチャートを参照して説明したステップＳ８３の処理により第３ＡＰコマンドが送信されてきた場合、処理は、ステップＳ１２１に進む。
【０１６８】
ステップＳ１２１において、制御部１９１は、動作履歴保存処理を実行し、第３ＡＰコマンドに含まれている接続ＡＰ番号、および遊技機開閉情報を履歴管理テーブル１９１ｆに登録し、処理は、ステップＳ１１５に進む。ここでは、鍵１１の挿入、および回転が検知されていない状態で、遊技機開閉情報が扉、または枠が開放されていることを示す情報が含まれることになるため、鍵１１が用いられることなく遊技機１８１の扉、または枠が開放されたことが履歴管理テーブル１９１ｆに登録されることになる。尚、動作履歴保存処理については、図１７を参照して、詳細を後述する。
【０１６９】
このように、ＡＰ１３から送信されてくる第１ＡＰコマンド乃至第３ＡＰコマンドにより、電波強度テーブル１９１ｅ、および履歴管理テーブル１９１ｆのいずれか、または、その両方が登録されて、ＡＰ１３との接続通信がなされることになるため、未接続時間テーブル１９１ｃにおける鍵１１の固体識別番号に対応付けて登録されている未接続時間が０にリセットされる。また、ステップＳ１２０において、第３ＡＰコマンドが送信されてきていないと判定された場合、第１ＡＰコマンド乃至第３ＡＰコマンドのいずれも送信されてきていないことになるので、ステップＳ１１４乃至Ｓ１１６，Ｓ１１８，Ｓ１１９、およびＳ１２１の処理がスキップされて、処理は、ステップＳ１２２に進む。
【０１７０】
ステップＳ１２２において、制御部１９１は、未接続カウント処理を実行し、各鍵１１の未接続時間をカウントすると共に、カウントされた未接続時間が所定時間より長い鍵１１については、店舗１の出入口３から店舗１の外に持ち出されている恐れがあるため、持ち出していることを履歴管理テーブル１９１ｆに登録する。
【０１７１】
［未接続カウント処理］
ここで、図１６のフローチャートを参照して、未接続カウント処理について説明する。
【０１７２】
ステップＳ１５１において、制御部１９１は、鍵１１のうち、未処理の鍵１１のいずれかを処理対象とする。
【０１７３】
ステップＳ１５２において、制御部１９１は、持出番号テーブル１９１ａにアクセスし、処理対象となる鍵１１に対応する固体識別番号の情報を検索し、検索結果に基づいて、処理対象の鍵１１が鍵収納庫２１から持ち出された状態となっているか否かを判定する。ステップＳ１５２において、例えば、処理対象となる鍵１１が鍵収納庫２１から持ち出されていると判定された場合、処理は、ステップＳ１５３に進む。
【０１７４】
ステップＳ１５３において、制御部１９１は、未接続時間テーブル１９１ｃを制御して、処理対象となる鍵１１に対応付けて登録されている未接続時間を１インクリメントすることによりカウントする。また、ステップＳ１５２において、処理対象となっている鍵１１が持ち出されていない場合、ステップＳ１５３の処理はスキップされて、処理は、ステップＳ１５４に進む。
【０１７５】
ステップＳ１５４において、制御部１９１は、処理対象となっている鍵１１の固体識別番号に対応付けて、未接続時間テーブル１９１ｃに登録されている未接続時間が、所定の時間よりも長い、未接続タイムアウトであるか否かを判定する。ステップＳ１５４において、例えば、未接続時間が、所定の時間よりも長い、未接続タイムアウトである場合、処理は、ステップＳ１５５に進む。
【０１７６】
ステップＳ１５５において、制御部１９１は、動作履歴保存処理を実行し、履歴管理テーブル１９１ｆに、処理対象となる鍵１１が店舗１の外に持ち出された可能性があることを履歴として保存させると共に、公衆回線２３を介して鍵１１の位置情報を取得する。尚、動作履歴保存処理については、図１７のフローチャートを参照して後述する。
【０１７７】
一方、ステップＳ１５４において、処理対象となっている鍵１１の固体識別番号に対応付けて、未接続時間テーブル１９１ｃに登録されている未接続時間が、所定の時間よりも長くなく、接続タイムアウトではないとみなされた場合、ステップＳ１５５の処理はスキップされる。尚、ステップＳ１５４においては、処理対象となる鍵１１が鍵収納庫２１から持ち出されていない場合、接続タイムアウトになることはないものとみなされるものとし、ステップＳ１５５の処理もスキップされることになる。
【０１７８】
ステップＳ１５６において、制御部１９１は、未処理の鍵１１が存在するか否かを判定し、未処理の鍵１１が存在する場合、処理は、ステップＳ１５１に戻る。すなわち、未処理の鍵１１がなくなるまで、ステップＳ１５１乃至Ｓ１５６の処理が繰り返される。そして、ステップＳ１５６において、未処理の鍵１１がないとみなされた場合、処理は終了する。
【０１７９】
すなわち、以上の処理により、全ての鍵１１について持出番号テーブル１９１ａに登録されているか否かが判定されて、持ち出されていることが登録されている鍵１１については、未接続時間テーブル１９１ｃに登録されている未接続時間がカウントされると共に、未接続時間が所定時間よりも長い場合、その鍵１１がＡＰ１３と通信ができない状態、すなわち、店舗１から外に持ち出されているものとみなして、履歴管理テーブル１９１ｆに登録させる。
【０１８０】
ここで、図１３のフローチャートの説明に戻る。
【０１８１】
ステップＳ１２２において、未接続カウント処理がなされると、ステップＳ１２３において、制御部１９１は、ウェイトタイマ１９６のタイマカウンタを１インクリメントして、カウントする。
【０１８２】
ステップＳ１２４において、制御部１９１は、ウェイトタイマ１９６のタイマカウントが所定の閾値よりも大きいか否かを判定する。ステップＳ１２４において、例えば、ウェイトタイマ１９６のタイマカウンタが所定の閾値よりも大きく、所定時間以上、各鍵１１の位置が確認されていないとみなされた場合、処理は、ステップＳ１２５に進む。
【０１８３】
ステップＳ１２５において、制御部１９１は、位置特定部１９１ｇを制御して、鍵位置特定処理を実行させ、全ての鍵１１について、店舗１内における位置を特定する。尚、位置特定処理については、図１９のフローチャートを参照して、詳細を後述する。
【０１８４】
ステップＳ１２６において、制御部１９１は、履歴管理テーブル１９１ｆを制御して、動作履歴保存処理を実行させて、位置特定処理により特定された位置の情報を登録させるか、または、位置が特定できないとき、店舗１の外であることを特定し、位置特定部１９１ｇを制御して、公衆回線２３を介して、鍵１１のＧＰＳ１０４により地球上の位置を特定させて登録させる。尚、動作履歴保存処理については、図１７のフローチャートを参照して、詳細を後述する。
【０１８５】
ステップＳ１２７において、制御部１９１は、電源ＯＦＦとされたか否かを判定し、電源ＯＦＦとされていない場合、処理は、ステップＳ１０７に戻る。すなわち、電源ＯＦＦとされるまで、ステップＳ１０７乃至Ｓ１２７の処理が繰り返される。そして、ステップＳ１２７において、電源ＯＦＦとされた場合、処理は、終了する。
【０１８６】
以上の処理により、ホールコンピュータ２２は、鍵収納庫２１からの鍵１１の持出情報および返却情報に基づいて、持出番号テーブル１９１ａ、および履歴時間テーブル１９１ｂを管理すると共に、ＡＰ１３からの第１ＡＰコマンド乃至第３ＡＰコマンドのいずれかにより電波強度テーブル１９１ｅおよび履歴管理テーブル１９１ｆを管理している。また、ホールコンピュータ２２は、所定の時間間隔で未接続時間テーブル１９１ｃを管理している。さらに、ホールコンピュータ２２は、動作履歴保存処理により履歴管理テーブル１９１ｆを管理している。
【０１８７】
［動作履歴保存処理］
次に、図１７のフローチャートを参照して、動作履歴保存処理について説明する。
【０１８８】
ステップＳ１７１において、履歴管理テーブル１９１ｆは、ＡＰ１３より供給されてくる情報が第２ＡＰコマンドであり、すなわち、鍵１１の使用が検出された状態で、遊技機１８１から扉、または枠の開放が検出されたことを示す正常開放が検出されたときの情報であるか否かを判定する。ステップＳ１７１において、例えば、図１３のステップＳ１１９で示されるように、正常開放が検出されたときの情報であるとみなされた場合、処理は、ステップＳ１７２に進む。
【０１８９】
ステップＳ１７２において、履歴管理テーブル１９１ｆは、第２ＡＰコマンドに含まれる情報が、鍵１１の挿入、および回転が検知されたことを示す情報であると共に、遊技機開閉情報が扉、または枠の開放を示す情報であるか否かを判定する。第２ＡＰコマンドに含まれる情報が、鍵１１の挿入、および回転が検知されたことを示す情報であると共に、遊技機開閉情報が扉、または枠の開放を示す情報であると判定された場合、処理は、ステップＳ１７３に進む。
【０１９０】
ステップＳ１７３において、履歴管理テーブル１９１ｆは、RTC１９５により発生された日時の情報に基づいて、日時の情報をテーブルに保存する。
【０１９１】
ステップＳ１７４において、履歴管理テーブル１９１ｆは、第２ＡＰコマンドに含まれる、通信接続している鍵１１の固体識別番号をテーブルに保存する。
【０１９２】
ステップＳ１７５において、履歴管理テーブル１９１ｆは、第２ＡＰコマンドに含まれる、接続ＡＰ番号に基づいて、鍵１１が使用された遊技機１８１に対応するＡＰ１３の位置を特定する。すなわち、同一の固体識別番号の鍵１１が、複数のＡＰ１３と通信するような場合もあるため、同一の固体識別番号の鍵１１と通信するＡＰが複数に存在する可能性がある。このような場合、複数の第２ＡＰコマンドが供給されてくることになる。そこで、履歴管理テーブル１９１ｆにおいては、電波強度テーブル１９１ｅなどを参照して、同一の固体識別番号の鍵１１と通信している可能性のある、複数のＡＰ１３からの第２ＡＰコマンドのそれぞれに存在する接続ＡＰ番号のうち、最も電波強度が強い接続ＡＰ番号のＡＰ１３を、鍵１１が使用されたＡＰ１３として特定する。
【０１９３】
ステップＳ１７６において、履歴管理テーブル１９１ｆは、ＡＰテーブル１９１ｄにおいて、特定されたＡＰ１３の接続ＡＰ番号に対応する遊技機番号を検索し、ステップＳ１７７において、その遊技機番号（台番号）をテーブルに登録する。
【０１９４】
ステップＳ１７８において、履歴管理テーブル１９１ｆは、遊技機開閉情報である扉、または枠の開放を示す開をテーブルに登録する。
【０１９５】
この結果、例えば、履歴管理テーブル１９１ｆは、図１８の最上段で示されるような情報が登録されることになる。すなわち、図１８の履歴管理テーブル１９１ｆの１段目においては、左から、日時、位置、鍵の固体識別番号、および状態が設定されており、２段目においては、2011年2月21日の13時10分に台番号102の遊技機１８１の扉、または枠が、固体識別番号が3の鍵１１で開放されたことを示す動作履歴が登録される。
【０１９６】
一方、ステップＳ１７２において、第２ＡＰコマンドに含まれる情報が、鍵１１の挿入、および回転が検知されたことを示す情報であると共に、遊技機開閉情報が扉、または枠の開放を示す情報ではないと判定された場合、処理は、ステップＳ１７９に進む。
【０１９７】
ステップＳ１７９において、履歴管理テーブル１９１ｆは、第２ＡＰコマンドに含まれる情報が、鍵１１の挿入は検知されているが、回転が検知されていないことを示す情報であると共に、遊技機開閉情報が扉、または枠の閉鎖を示す情報であるか否かを判定する。ステップＳ１７９において、例えば、第２ＡＰコマンドに含まれる情報が、鍵１１の挿入は検知されているが、回転が検知されていないことを示す情報であると共に、遊技機開閉情報が扉、または枠の閉鎖を示す情報であると判定された場合、処理は、ステップＳ１８０に進む。
【０１９８】
ステップＳ１８０において、履歴管理テーブル１９１ｆは、RTC１９５により発生された日時の情報に基づいて、日時の情報をテーブルに保存する。
【０１９９】
ステップＳ１８１において、履歴管理テーブル１９１ｆは、第２ＡＰコマンドに含まれる、通信接続している鍵１１の固体識別番号をテーブルに保存する。
【０２００】
ステップＳ１８２において、履歴管理テーブル１９１ｆは、第２ＡＰコマンドに含まれる、接続ＡＰ番号に基づいて、鍵１１の最寄のＡＰ１３の位置を特定する。
【０２０１】
ステップＳ１８３において、履歴管理テーブル１９１ｆは、ＡＰテーブル１９１ｄにおいて、特定されたＡＰ１３の接続ＡＰ番号に対応する遊技機番号を検索し、ステップＳ１８４において、その遊技機番号（台番号）をテーブルに登録する。
【０２０２】
ステップＳ１８５において、履歴管理テーブル１９１ｆは、遊技機開閉情報である扉、または枠の閉鎖を示す閉をテーブルに登録する。
【０２０３】
この結果、例えば、履歴管理テーブル１９１ｆは、図１８の３段目で示されるような情報が登録されることになる。すなわち、図１８の履歴管理テーブル１９１ｆの３段目においては、左から、日時、位置、鍵の固体識別番号、および状態が登録されており、最上段においては、2011年2月21日の13時11分に台番号102の遊技機１８１の扉、または枠が、固体識別番号が3の鍵１１で閉鎖されたことを示す動作履歴が登録される。
【０２０４】
一方、ステップＳ１７９において、例えば、第２ＡＰコマンドに含まれる情報が、鍵１１の挿入は検知されているが、回転が検知されていないことを示す情報でなく、または、遊技機開閉情報が扉、または枠の閉鎖を示す情報ではないと判定された場合、処理は、終了する。
【０２０５】
さらに、ステップＳ１７１において、正常開閉ではないと判定された場合、処理は、ステップＳ１８６に進む。
【０２０６】
ステップＳ１８６において、履歴管理テーブル１９１ｆは、ＡＰ１３より供給されてくる情報が第３ＡＰコマンドであり、すなわち、鍵１１が使用されることなく、遊技機１８１から扉、または枠の開放が検出されたことを示す不正開放が検出されたときの情報であるか否かを判定する。ステップＳ１８６において、例えば、図１３のステップＳ１２１で示されるように、不正開放が検出されたときの情報であるとみなされた場合、処理は、ステップＳ１８７に進む。
【０２０７】
ステップＳ１８７において、履歴管理テーブル１９１ｆは、RTC１９５により発生された日時の情報に基づいて、日時の情報をテーブルに保存する。
【０２０８】
ステップＳ１８８において、履歴管理テーブル１９１ｆは、第３ＡＰコマンドに含まれる、接続ＡＰ番号に基づいて、ＡＰ１３の位置を特定する。尚、この場合、遊技機１８１によりＡＰ１３に対して扉、または枠の開放を通知するため、この通知を受けたＡＰ１３が特定される。
【０２０９】
ステップＳ１８９において、履歴管理テーブル１９１ｆは、ＡＰテーブル１９１ｄにおいて、特定されたＡＰ１３の接続ＡＰ番号に対応する遊技機番号を検索し、ステップＳ１９０において、その遊技機番号（台番号）をテーブルに登録する。
【０２１０】
ステップＳ１９１において、履歴管理テーブル１９１ｆは、遊技機開閉情報である扉、または枠の不正な開放を示す開（不正）をテーブルに登録する。
【０２１１】
この結果、例えば、履歴管理テーブル１９１ｆは、図１８の４段目で示されるような情報が登録されることになる。すなわち、図１８の履歴管理テーブル１９１ｆの４段目においては、2011年2月21日の13時11分に台番号102の遊技機１８１の扉、または枠が、不正開放されたことを示す動作履歴が登録される。
【０２１２】
また、ステップＳ１８６において、不正開閉ではないとみなされた場合、処理は、ステップＳ１９２に進む。
【０２１３】
ステップＳ１９２において、制御部１９１は、図１９を参照して後述する鍵位置特定処理により鍵１１の位置が特定された後の処理であるか否かを判定する。ステップＳ１９２において、例えば、図１３のフローチャートにおけるステップＳ１２６の処理のように、直前のステップＳ１２５の処理により鍵位置特定処理が成されているような場合、処理は、ステップＳ１９３に進む。
【０２１４】
ステップＳ１９３において、履歴管理テーブル１９１ｆは、RTC１９５により発生された日時の情報に基づいて、日時の情報をテーブルに保存する。
【０２１５】
ステップＳ１９４において、履歴管理テーブル１９１ｆは、直前の処理で求められている接続ＡＰ番号に基づいて、対応する遊技機番号を検索し、ステップＳ１９５において、その遊技機番号（台番号）をテーブルに登録する。
【０２１６】
この結果、例えば、履歴管理テーブル１９１ｆは、図１８の６段目で示されるような情報が登録されることになる。すなわち、図１８の履歴管理テーブル１９１ｆの６段目においては、2011年2月21日の12時10分に台番号103の遊技機１８１の傍で、固体識別番号が４の鍵１１が検出されたことを示す動作履歴が登録される。このように鍵１１の位置がウェイトタイマ１９６により計測される所定時間単位で登録される。このように所定時間間隔で鍵１１の位置が登録されることにより、後述する動線表示が可能となる。
【０２１７】
さらに、ステップＳ１９２において、直前の処理により鍵の位置が求められていない、すなわち、正常開放、不正開放、および鍵位置の検出のいずれもでもない場合、鍵位置特定処理で鍵１１の位置が特定できない、すなわち、鍵１１が店舗１の外に持ち出されていることが考えられる。このようにステップＳ１９２において、直前の処理により鍵の位置が求められていない、すなわち、店舗１の外に持ち出されたとみなされた場合、処理は、ステップＳ１９６に進む。
【０２１８】
ステップＳ１９６において、履歴管理テーブル１９１ｆは、RTC１９５により発生された日時の情報に基づいて、日時の情報をテーブルに保存する。
【０２１９】
ステップＳ１９７において、履歴管理テーブル１９１ｆは、公衆回線通信部１９８を制御して、位置が特定できなかった鍵１１の固体識別番号に対応付けて予め登録されている番号に基づいて、公衆回線２３を介して発信して、通信の接続を要求する。
【０２２０】
ステップＳ１９８において、履歴管理テーブル１９１ｆは、公衆回線通信部１９８を制御して、位置が特定できなかった鍵１１の固体識別番号で特定される鍵１１との公衆回線２３を介した通信が可能であるか否かを判定する。ステップＳ１９８において、公衆回線２３を介した通信ができない場合、処理は、終了する。また、ステップＳ１９８において、図１０のフローチャートを参照して説明したステップＳ１９の処理により応答があり、通信が可能になると処理は、ステップＳ１９９に進む。
【０２２１】
ステップＳ１９９において、公衆回線通信部１９８は、公衆回線２３による通信接続された鍵１１に対して、ＧＰＳ１０４により取得可能な位置情報を要求する。
【０２２２】
このステップＳ１９９の位置情報の要求に応じて、例えば、図１０のフローチャートにおけるステップＳ２２の処理によりＧＰＳによる位置情報が送信されてくると、ステップＳ２００において、公衆回線通信部１９８は、送信されてきた位置情報を取得する。履歴管理テーブルに１９１ｆは、取得した位置情報を鍵１１を識別する固体識別情報に対応付けてテーブルに登録する。
【０２２３】
ステップＳ２０１において、履歴管理テーブル１９１ｆは、鍵１１が店舗１の外に持ち出されていることを示す持出をテーブルに登録する。
【０２２４】
この結果、例えば、履歴管理テーブル１９１ｆは、図１８の５段目で示されるような情報が登録されることになる。すなわち、図１８の履歴管理テーブル１９１ｆの５段目においては、2011年2月21日の14時00分に北緯35度42分、東経139度40分の位置で、固体識別番号が５の鍵１１が、店舗１の外の位置に持ち出された状態で検出されたことを示す動作履歴が登録される。
【０２２５】
以上の処理により、遊技機１８１の正常開放が検出されたタイミングにおける鍵１１が使用された位置、すなわち、店舗１内におけるどの遊技機１８１に対して使用されたかの動作履歴が、日時に対応付けて履歴管理テーブル１９１ｆに蓄積させていくことが可能となる。また、不正開放が検出された場合、不正開放が検出された遊技機１８１の位置が特定されて、日時に対応付けて履歴管理テーブル１９１ｆに登録させていくことが可能となる。さらに、所定時間間隔で鍵１１の検出される遊技機１８１の位置が日時に対応付けて登録させることが可能となる。また、鍵１１が店舗１の外に持ち出されても、持ち出されたことが登録されると共に、公衆回線２３を介して地球上のどの位置に存在するかについて登録される。この結果、仮に、鍵１１が店舗１の外に持ち出されても、鍵１１を追跡することが可能になる。
【０２２６】
［図９のホールコンピュータによる鍵位置特定処理］
次に、図１９のフローチャートを参照して、図９のホールコンピュータ２２による、図１３のフローチャートにおけるステップＳ１２５の処理である鍵位置特定処理について説明する。
【０２２７】
ステップＳ２２１において、位置特定部１９１ｇは、位置を特定すべき未処理の鍵１１を処理対象に設定する。
【０２２８】
ステップＳ２２２において、位置特定部１９１ｇは、処理対象となるＡＰ１３を特定する。
【０２２９】
ステップＳ２２３において、位置特定部１９１ｇは、電波強度テーブル１９１ｅにアクセスし、処理対象となる鍵１１との通信接続における、処理対象となるＡＰ１３との電波強度を読み出す。
【０２３０】
ステップＳ２２４において、位置特定部１９１ｇは、読み出した電波強度が所定の閾値よりも高いか否かを判定する。ここでいう所定の閾値とは、例えば、鍵１１がＡＰ１３に対して十分に接近していることを示す値であるものとする。したがって、電波強度が所定の閾値よりも高い場合、鍵１１は、そのＡＰ１３に十分近い位置に存在し、すなわち、そのＡＰ１３により特定される遊技機１８１の傍に存在するものとみなせるものとする。
【０２３１】
ステップＳ２２４において、電波強度が所定の閾値よりも低く、処理対象となる鍵１１は、処理対象となるＡＰ１３の傍には存在しないとみなされた場合、処理は、ステップＳ２２５に進む。
【０２３２】
ステップＳ２２５において、位置特定部１９１ｇは、未処理のＡＰ１３が存在するか否かを判定し、未処理のＡＰ１３が存在する場合、処理は、ステップＳ２２２に戻る。すなわち、未処理のＡＰ１３が存在しない状態になるまで、ステップＳ２２２乃至Ｓ２２５の処理を繰り返す。
【０２３３】
このとき、ステップＳ２２４において、電波強度が所定の閾値よりも高いとみなされた場合、すなわち、処理対象となる鍵１１が、処理対象となるＡＰ１３に対応付けて設置されている遊技機１８１の傍に存在するとみなされた場合、処理は、ステップＳ２２７に進む。ステップＳ２２７において、位置特定部１９１ｇは、処理対象となっている鍵１１が、処理対象となっているＡＰ１３の近傍に存在するものとみなし、ＡＰ１３の位置を鍵１１の存在する位置として特定し、処理は、ステップＳ２２８に進む。
【０２３４】
また、ステップＳ２２５において、未処理のＡＰ１３が存在しないと判定された場合、ステップＳ２２６において、位置特定部１９１ｇは、処理対象となる鍵１１については、位置が特定できない、すなわち、店舗１の外に持ち出されているものとみなす。
【０２３５】
ステップＳ２２８において、位置特定部１９１ｇは、処理対象となる未処理の鍵１１が存在するか否かを判定し、未処理の鍵１１がある場合、処理は、ステップＳ２２１に戻る。一方、ステップＳ２２８において、未処理の鍵１１がないと判定された場合、処理は、終了する。
【０２３６】
すなわち、以上の処理により、各鍵１１のそれぞれを処理対象に設定し、それぞれ通信接続されたＡＰ１３との電波強度を所定の閾値と比較し、所定の閾値よりも高い、すなわち、所定の距離よりも近いとみなされるＡＰ１３が検出された時点で、そのＡＰ１３を処理対象の鍵１１の位置であるものとすることが可能となる。尚、以上においては、所定の閾値よりも高い電波強度で通信するＡＰ１３が検出された時点で、そのＡＰ１３の位置を鍵１１の位置とするようにしていたが、電波強度が高いほど、鍵１１とそのＡＰ１３とは近い位置であると考えることができるので、例えば、鍵１１と通信接続された全てのＡＰ１３との電波強度の中で、最も高い電波強度のＡＰ１３を鍵１１の位置とするようにしてもよい。
【０２３７】
［鍵管理システムにおける鍵管理処理］
以上のように鍵１１、鍵収納庫２１、ＡＰ１３、ホールコンピュータ２２、および遊技機１８１からなる鍵管理システムにより実現される鍵管理処理を纏めると、例えば、図２０のフローチャートで示されるような処理となる。尚、図２０においては、左から遊技店の係員の動作、鍵収納庫２１、ＡＰ１３、ホールコンピュータ２２、および遊技機１８１のそれぞれの鍵管理処理を説明する簡易的なフローチャートである。
【０２３８】
すなわち、ステップＳ３０１において、使用者である遊技店の係員が鍵１１を持ち出すと、ステップＳ３２１において、鍵収納庫２１が、図１１のステップＳ３８の処理により鍵１１が持ち出されたことを検出する。そして、ステップＳ３２２において、鍵収納庫２１が、図１１のステップＳ３９の処理により鍵１１が持ち出されたことを示す持出情報をホールコンピュータ２２に送出する。ステップＳ３７１において、ホールコンピュータ２２は、図１３のステップＳ１０８の処理により持出番号テーブル１９１ａに持ち出された鍵１１の固体識別番号を登録すると共に、履歴時間テーブル１９１ｂに持出時刻を登録する。この結果、鍵１１を鍵収納庫２１から持ち出すだけで持ち出された鍵１１の固体識別番号と、持ち出された時刻を管理することが可能となる。
【０２３９】
また、ステップＳ３０２において、使用者である遊技店の係員が鍵１１を持ち出して移動しながら所定の時間が経過して、Ａ地点に存在する場合、ステップＳ３１１において、鍵１１が、図１０のステップＳ１３の処理により、ＡＰ１３に動作履歴を通知する。ステップＳ３４１において、図１２のステップＳ７６の処理により、ＡＰ１３が鍵１１との通信接続を認識する。さらに、鍵の挿入、および回転が検出されなければ、ステップＳ３４２において、ＡＰ１３は、図１２のステップＳ８０の処理により第１ＡＰコマンドをホールコンピュータ２２に送信する。この処理により、ステップＳ３７２において、ホールコンピュータ２２は、図１３のステップＳ１１４の処理により電波強度テーブル１９１ｅに電波強度を登録することで、ステップＳ１２５において、鍵１１の位置を特定し、ステップＳ１２６の処理により履歴管理テーブル１９１ｆに登録する。この結果、所定時間間隔で鍵１１の位置を履歴として登録することが可能となり、鍵１１の使用者の動線を記録することが可能となる。
【０２４０】
さらに、ステップＳ３０３において、使用者である遊技店の係員が鍵１１を持ち出して、鍵１１を錠前の鍵穴に挿入して回転すると、ステップＳ３１２において、鍵１１が、図１０のステップＳ６乃至Ｓ１０の処理により挿入、および回転を検出し、ＡＰ１３に動作状態の情報を送信する。これに応じて、ステップＳ３４３において、ＡＰ１３は、図１２のステップＳ７９の処理により、鍵１１の挿入および回転の検出の情報を含む情報を検出する。
【０２４１】
また、ステップＳ３０３の動作に引き続き、ステップＳ３０４において、使用者である遊技店の係員が鍵１１を操作して、遊技機１８１の扉、または枠を開放すると、ステップＳ３９１において、遊技機１８１は、扉、または枠の開放を検出する。ステップＳ３９２において、遊技機１８１は、ＡＰ１３に扉、または枠の開放を通知する。ステップＳ３４４において、ＡＰ１３は、図１２のステップＳ７５において、遊技機１８１より扉、または枠の開放を示す通知を取得する。これに応じて、ステップＳ３４５において、ＡＰ１３は、図１２のステップＳ８１の処理により、ホールコンピュータ２２に挿入および回転の検出を示す情報を含む第２ＡＰコマンドを送信する。ステップＳ３７３において、ホールコンピュータ２２は、図１３のステップＳ１１８の処理により、電波強度テーブル１９１ｅに電波強度の情報を位置情報として登録し、ステップＳ１１９の処理により履歴管理テーブル１９１ｆに動作履歴を登録する。ここでは、鍵１１の挿入、および回転が検出された上で、遊技機１８１の扉、または枠の開放を示す遊技機開閉情報が含まれているので、扉、または枠の開放は正常な開放であるものとみなされる。この結果、鍵１１の操作による正常のな扉または枠の開放操作を履歴として記録することが可能となる。
【０２４２】
また、ステップＳ３０５において、使用者である遊技店の係員が鍵１１を店舗１の外に持ち出してＡＰ１３のいずれとも通信ができない状態となった場合、ステップＳ３７４において、ホールコンピュータ２２は、図１６のステップＳ１５４の処理により未接続時間のタイムアウトを検出し、ステップＳ３７５において、鍵１１の店舗１の外への持ち出しを検出して、履歴管理テーブル１９１ｆに登録する。この結果、鍵１１の店外への持ち出しを検出することが可能になると共に、公衆回線２３により鍵１１に対してＧＰＳによる位置情報を要求して取得することで、店外であっても、地球上のどの位置に存在するのかを確認して登録することが可能となる。
【０２４３】
さらに、ステップＳ３０６において、使用者である遊技店の係員、または第３者が、鍵１１を使用することなく、不正に遊技機１８１の扉、または枠を開放すると、ステップＳ３９３において、遊技機１８１は扉、または枠の開放を検出する。ステップＳ３９４において、遊技機１８１は、ＡＰ１３に扉、または枠の開放を通知する。ステップＳ３４６において、ＡＰ１３は、図１２のステップＳ７５において、遊技機１８１より扉、または枠の開放を示す通知を取得する。これに応じて、ステップＳ３４７において、ＡＰ１３は、図１２のステップＳ８３の処理により、ホールコンピュータ２２に第３ＡＰコマンドを送信する。ステップＳ３７６において、ホールコンピュータ２２は、図１３のステップＳ１２１の処理により、履歴管理テーブル１９１ｆに動作履歴を登録する。ここでは、鍵１１の挿入、および回転が検出されていない上で、遊技機１８１の扉、または枠の開放を示す遊技機開閉情報が含まれているので、扉、または枠の開放は不正な開放であるものとみなされる。結果として、不正な扉、または枠の開放を検出することが可能となり、さらに、不正な扉、または枠の開放を履歴として登録することが可能となる。
【０２４４】
また、ステップＳ３０７において、使用者である遊技店の係員が、鍵１１を鍵収納庫２１に返却すると、ステップＳ３２３において、鍵収納庫２１が、図１１のステップＳ３６の処理により鍵１１が返却されたことを検出する。そして、ステップＳ３２４において、鍵収納庫２１が、図１１のステップＳ３７の処理により鍵１１が返却されたことを示す返却情報をホールコンピュータ２２に送出する。ステップＳ３７７において、ホールコンピュータ２２は、図１３のステップＳ１１２の処理により持出番号テーブル１９１ａに登録されている、返却された鍵１１の固体識別番号を消去すると共に、履歴時間テーブル１９１ｂに返却時刻を登録する。結果として、鍵１１の返却を管理することが可能となる。
【０２４５】
以上の処理により、鍵１１の持ち出し、および返却を管理することが可能となる。また、鍵１１が持ち出された時刻、および返却された時刻を管理することが可能となる。さらに、鍵１１の動作状態の情報を遊技機の扉および枠の開閉状態の情報と共に時刻情報、並びにその位置と共に動作履歴として、履歴管理テーブル１９１ｆで管理することが可能となる。また、鍵１１の挿入、および回転と共に、遊技機１８１の扉、または枠の開閉を管理することができるので、鍵１１を使用せずに扉、または枠を開放するといった不正な開放を認識することが可能となる。さらに、鍵１１とＡＰ１３との通信に係る電波強度テーブル１９１ｅが管理されることにより、ＡＰ１３と遊技機１８１との位置関係がわかっていれば、その電波強度に基づいて、どの遊技機１８１の錠前に挿入して鍵１１を動作させたのかを認識することが可能となる。
【０２４６】
［動線履歴表示処理］
次に、図２１のフローチャートを参照して、動線履歴表示処理について説明する。
【０２４７】
ステップＳ２８１において、制御部１９１は、操作部１９９が操作されることにより、動線履歴の表示が指示されたか否かを判定し、動線履歴の表示が指示されるまで、同様の処理を繰り返す。そして、ステップＳ２８１において、動線履歴の表示が指示されると、処理は、ステップＳ２８２に進む。
【０２４８】
ステップＳ２８２において、制御部１９１は、動線履歴表示制御部１９１ｈを制御して、鍵１１を特定する情報の入力を求める画像を生成させて、表示部１９３に表示させる。
【０２４９】
ステップＳ２８３において、動線履歴表示制御部１９１ｈは、操作部１９９が操作されて動線履歴を表示させるべき鍵１１を特定させる情報が入力されたか否かを判定し、入力されていない場合、処理は、ステップＳ２８２に戻る。すなわち、鍵１１を特定する情報が入力されるまで、ステップＳ２８２，Ｓ２８３の処理が繰り返される。そして、ステップＳ２８３において、例えば、鍵１１を特定させる情報が入力された場合、処理は、ステップＳ２８４に進む。
【０２５０】
ステップＳ２８４において、動線履歴表示制御部１９１ｈは、履歴管理テーブル１９１ｆにアクセスし、動線履歴を表示すべき鍵１１を特定する固体識別番号で動作履歴のうち、位置を示す情報、および状態の情報を時系列に抽出する。すなわち、例えば、図１８で示されるような履歴管理テーブル１９１ｆが登録されている場合、位置の情報に対応する情報として遊技機番号（台番号）の情報を抽出する。
【０２５１】
ステップＳ２８５において、動線履歴表示制御部１９１ｈは、抽出した位置情報を時系列に接続して、動線履歴画像を生成する。
【０２５２】
ステップＳ２８６において、動線履歴表示制御部１９１ｈは、例えば、図２２で示されるように生成した動線履歴画像を、動線履歴画像２１１として表示する。
【０２５３】
すなわち、図２２の動線履歴画像２１１においては、遊技機１８１に対応する遊技機画像２２２−１乃至２２２−６が表示されており、鍵１１の移動した動線として図中の点線で示される動線２２１が表示されている。この動線２２１の先頭には鍵１１の位置である鍵位置２２１ａが表示されており、このような表示により鍵１１の動線を表示することができる。結果として、動線履歴が表示されることにより、指定された鍵１１を所持していた係員が、鍵１１を所持した状態でどのような動線で移動していたのかを視覚的に認識することが可能となる。
【０２５４】
ステップＳ２８７において、動線履歴表示制御部１９１ｈは、動線履歴の表示が要求された鍵１１の時系列に状態の情報を表示する。この表示については、例えば、図１８の履歴管理テーブル１９１ｆと同様の表示とするようにしてもよい。尚、この状態の情報については、動線履歴画像２１１上にポップアップウィンドウとして別に表示するようにしてもよいし、動線履歴画像２１１を表示するウィンドウと、別のウィンドウに同時に表示するようにしてもよい。
【０２５５】
ステップＳ２８８において、制御部１９１は、操作部１９９が操作されて、表示の終了が指示されたか否かを判定し、終了が指示されていない場合、処理は、ステップＳ２８６に戻る。すなわち、終了が指示されるまで、ステップＳ２８６，Ｓ２８７の処理が繰り返されて、表示が指示された鍵１１についての動線履歴、および状態の情報が表示され続ける。そして、ステップＳ２８８において、終了の指示がなされた場合、処理は、終了する。
【０２５６】
以上の処理により、鍵１１を特定する情報に基づいて、履歴管理テーブル１９１ｆに登録されている動作履歴に基づいて、鍵１１の動線履歴を表示することが可能となる。結果として、鍵１１単位で個別に係員が店舗１内をどのように移動していたのかを把握することが可能となる。また、この際、状態の情報についても表示されることになるため、動線上のどのタイミングで、どのような動作状態となっていたのかを把握することが可能となる。
【０２５７】
＜２．変形例＞
［ホールコンピュータの変形例］
以上においては、鍵１１の位置を特定する際、処理対象となる鍵１１に対する、処理対象となるＡＰ１３との通信における電波強度を順次所定の閾値と比較し、所定の閾値よりも高いＡＰ１３として最初に検出されたＡＰ１３に対応付けて設置されている遊技機１８１の遊技機番号（台番号）により位置を特定する例について説明してきたが、これでは、位置の最小単位は遊技機１８１となる。そこで、所定の閾値よりも高い電波強度で通信しているＡＰ１３を複数に求めて、電波強度に応じた重心位置を鍵１１の位置とするようにしてもよい。
【０２５８】
図２３は、鍵１１の位置をより高い精度で求められるようにしたホールコンピュータ２２の構成例における変形例を示している。尚、図９のホールコンピュータ２２と同一の機能を備えた構成については、同一の符号を付しており、その説明は、適宜省略するものとする。すなわち、図２３のホールコンピュータ２２において、図９のホールコンピュータ２２と異なるのは、位置特定部１９１ｇに代えて、位置特定部２３１を備えている点である。
【０２５９】
すなわち、位置特定部２３１は、位置特定部１９１ｇと基本的に同様の機能を備えたものであるが、位置特定部１９１ｇが鍵１１の位置を１個のＡＰ１３で特定可能な１台の遊技機１８１の位置を最小単位として求めているのに対して、位置特定部２３１は、複数のＡＰ１３を用いて、それぞれの電波強度に応じた重心位置として求める点で異なる。
【０２６０】
［図２３のホールコンピュータによる鍵位置特定処理］
ここで、図２４のフローチャートを参照して、図２３のホールコンピュータ２２による鍵位置特定処理について説明する。
【０２６１】
ステップＳ２５１において、位置特定部２３１は、未処理の鍵１１のいずれかを、位置を特定すべき処理対象の鍵１１に設定する。
【０２６２】
ステップＳ２５２において、位置特定部２３１は、未処理のＡＰ１３のいずれかを、処理対象となるＡＰ１３を特定する。
【０２６３】
ステップＳ２５３において、位置特定部２３１は、電波強度テーブル１９１ｅにアクセスし、処理対象となる鍵１１との通信接続における、処理対象となるＡＰ１３との電波強度を読み出す。
【０２６４】
ステップＳ２５４において、位置特定部２３１は、読み出した電波強度が所定の閾値よりも高いか否かを判定する。ここでいう所定の閾値とは、例えば、鍵１１がＡＰ１３に対して十分に接近していることを示す値であるものとする。
【０２６５】
ステップＳ２５４において、電波強度が所定の閾値よりも高いとみなされた場合、すなわち、処理対象となる鍵１１が、処理対象となるＡＰ１３に対応付けて設置されている遊技機１８１の傍に存在するとみなされた場合、処理は、ステップＳ２５５に進む。ステップＳ２５５において、位置特定部２３１は、処理対象となっているＡＰ１３を候補ＡＰとして記憶する。
【０２６６】
ステップＳ２５６において、位置特定部２３１は、候補ＡＰが３個以上になったか否かを判定する。ステップＳ２５６において、例えば、候補ＡＰが３個ではない場合、処理は、ステップＳ２５７に進む。
【０２６７】
ステップＳ２５７において、位置特定部２３１は、未処理のＡＰ１３が存在するか否かを判定し、未処理のＡＰ１３が存在する場合、処理は、ステップＳ２５２に戻る。また、ステップＳ２５４において、電波強度が所定の閾値よりも低い場合、ステップＳ２５５の処理がスキップされる。すなわち、３個の候補ＡＰが検出されるか、または、未処理のＡＰ１３が存在しない状態になるまで、ステップＳ２５２乃至Ｓ２５７の処理が繰り返される。
【０２６８】
そして、例えば、ステップＳ２５６において、候補ＡＰが３個以上となった場合、ステップＳ２６０において、位置特定部２３１は、候補ＡＰの電波強度の情報に基づいて、鍵１１の位置を算出して、算出した位置に対応する遊技機１８１の遊技機番号を鍵１１の位置とする。
【０２６９】
より詳細には、位置特定部２３１は、以下のような手法で鍵１１の位置を算出する。ここで、図２５で示されるように、ＡＰ１３の位置は店舗１内における正確な位置が求められていることが前提となる。図２５においては、店舗１内を碁盤目状に等間隔で水平方向、および垂直方向に線を引いて座標を設定している。図２５においては、各線の間隔は水平方向および垂直方向ともに１ｍ間隔であるものとする。また、ＡＰ１３は、水平方向に２ｍ間隔で垂直方向には、上下の２列からなる遊技島では、それぞれの島内で垂直方向に３ｍ間隔であり、遊技島の間隔が４ｍとされている。このため、各ＡＰ１３は、座標で表現することができ、例えば、左下のＡＰは座標ＡＰ（２，２）（＝（水平座標，垂直座標））と表現でき、最下行の各ＡＰ１３の座標は、左から順にＡＰ（２，２），ＡＰ（４，２），ＡＰ（６，２）・・・と表現できる。また、最左列のＡＰ１３の座標は下から順に、ＡＰ（２，２），ＡＰ（２，５），ＡＰ（２，９），ＡＰ（２，１２）とされる。また、ＡＰ１３に対応付けて法形状の点線内の表示された番号は、そのＡＰ１３が設置されている遊技機１８１の台番号を示している。従って、図２５においては、台番号は、最下行が左から１０１，１０２，１０３，１０４，・・・とされており、最左列は、下から１０１，２０１，・・・とされている。
【０２７０】
この図２５で示される情報は、予め各ＡＰ１３の固体識別番号に対応付けて、例えば、図２６で示されるようなテーブルとして、位置特定部２３１が図示せぬメモリなどに記憶している。すなわち、図２６においては、左からＡＰ１３の固体識別番号、対応するＡＰの店内の水平座標、および対応するＡＰの店内の垂直座標として登録されている。従って、図２６においては、固体識別番号が０００１のＡＰ１３の座標はＡＰ（ｎ＿０００１，ｍ＿０００１）として登録されており、固体識別番号が０００２のＡＰ１３の座標はＡＰ（ｎ＿０００２，ｍ＿０００２）として登録されており、固体識別番号が０００３のＡＰ１３の座標はＡＰ（ｎ＿０００３，ｍ＿０００３）として登録されており、固体識別番号が０００４のＡＰ１３の座標はＡＰ（ｎ＿０００４，ｍ＿０００４）として登録されている。ここで、明細書内の表記においては、「＿」以下の表記は図中の下付き文字を示すものとし、以降においても同様とする。
【０２７１】
例えば、図２７の左部で示されるように、固体識別番号０００４，０００３，０００２で特定されるＡＰ１３の電波強度が順に５０，４０，３０であり、上位１位から３位となる候補ＡＰとして３個のＡＰ１３が抽出されている場合、位置特定部２３１は、例えば、図２７の右部で示されるように、各ＡＰ１３の重心計算用の座標に変換する。すなわち、ここでは、最も電波強度の高い固体識別番号０００４のＡＰ１３の位置を原点として設定し、固体識別番号０００５，０００６のＡＰ１３については、固体識別番号０００４のＡＰ１３を原点としたときの座標（Ｘ＿ａ＋２，Ｙ＿ａ＋２），（Ｘ＿ａ＋１，Ｙ＿ａ＋１）に設定する。
【０２７２】
位置特定部２３１は、以下の式（１）を計算することにより、例えば、これらの座標が、図２８で示されるような関係となる、重心位置となる位置ｋを鍵１１の位置として算出する。
【０２７３】
【数１】
2012193495.tif 000003
【０２７４】
式（１）においては、ａが電波強度の順位に対する係数であり、Ｅが各座標における電波強度であり、Ｋ（ｘ，ｙ）が重心位置である。尚、計算に当たっては、計数ａは、０とする。図２８においては、ＡＰ（ａ），ＡＰ（ａ＋１），ＡＰ（ａ＋２）のそれぞれの位置に対して求められる重心位置ｋが鍵１１の位置であるものとされることが示されている。
【０２７５】
すなわち、位置特定部２３１は、所定の閾値よりも高い電波強度のＡＰ１３における座標と、電波強度による重みを付した重心位置を鍵１１の存在する位置として算出する。このようにして求められる鍵１１の位置は、ＡＰ１３の位置、すなわち、遊技機１８１の位置とは無関係に求められることになる。しかしながら、鍵１１がどの遊技機１８１で使用されたかについてが必要な情報であることから、鍵１１の位置として求められる位置の範囲において、どの遊技機１８１で使用されたかを特定する必要がある。そこで、例えば、位置特定部２３１は、図２９で示されるようなテーブルを図示せぬメモリに記憶しており、各遊技機１８１が存在する位置を、遊技機１８１単位でエリアとして設定することにより、鍵１１の使用された遊技機１８１が特定できるようにされている。
【０２７６】
図２９においては、左から遊技機番号（台番号）、その遊技機番号の遊技機の水平方向のエリア範囲、および垂直エリア範囲が設定されている。すなわち、図２９においては、遊技機番号１０１の遊技機１８１は、水平方向のエリアが１乃至３、垂直方向のエリアが１乃至３とされており、遊技機番号１０２の遊技機１８１は、水平方向のエリアがｎ＿１０２ａ乃至ｎ＿１０２ａ＋２、垂直方向のエリアがｍ＿１０２ａ乃至ｍ＿１０２ａ＋２とされており、遊技機番号１０３の遊技機１８１は、水平方向のエリアがｎ＿１０３ａ乃至ｎ＿１０３ａ＋２、垂直方向のエリアがｍ＿１０３ａ乃至ｍ＿１０３ａ＋２とされている。従って、このように設定されたいずれの範囲に鍵１１の位置が特定されるかに基づいて、鍵１１が使用されている遊技機１８１が特定される。
【０２７７】
ここで、図２４のフローチャートの説明に戻る。
【０２７８】
ステップＳ２５７において、未処理のＡＰ１３が存在しないと判定された場合、ステップＳ２５８において、位置特定部２３１は、候補ＡＰが存在するか否かを判定する。ステップＳ２５８において、例えば、候補ＡＰが存在する場合、処理は、ステップＳ２５９に進む。
【０２７９】
ステップＳ２５９において、位置特定部２３１は、候補ＡＰの数に応じて、候補ＡＰの座標から鍵１１の位置を求める。すなわち、位置特定部２３１は、候補ＡＰの数が１個である場合、その１個のＡＰ１３の座標を鍵１１の位置として、その位置により特定される遊技機１８１の遊技機番号を位置として出力する。また、候補ＡＰが２個である場合、位置特定部２３１は、２個のＡＰ１３間の座標の電波強度の比による内分点を鍵１１の位置として、鍵１１の位置で特定される遊技機１８１の遊技機番号を位置として出力する。尚、候補ＡＰが３個以上となると、重心位置が求められるので、ここで考えられる候補ＡＰの個数は１個または２個であることになる。
【０２８０】
一方、ステップＳ２５８において、候補ＡＰが存在しない場合、処理は、ステップＳ２６１に進む。
【０２８１】
ステップＳ２６１において、位置特定部２３１は、鍵１１の位置が特定できない、すなわち、通信できていないものとみなして処理は終了する。
【０２８２】
すなわち、以上の処理により、各鍵１１のそれぞれを処理対象に設定し、それぞれ通信接続されたＡＰ１３との電波強度を所定の閾値と比較し、所定の閾値よりも高い、すなわち、所定の距離よりも近いとみなされる３個のＡＰ１３が検出された時点で、電波強度に基づいた重み付きの重心位置を鍵１１の位置として求め、その位置を基準として、使用された遊技機１８１を特定することができるので、より高い精度で鍵１１が使用された遊技機１８１を特定することが可能となる。尚、以上においては、閾値を超える電波強度が３点検出された時点でその重心位置を求める例について説明してきたが、電波強度が強い方がより鍵１１に近いと考えられるので、例えば、電波強度が高いＡＰ１３の上位となる３点だけを抽出して重心を求めるようにしてもよい。
【０２８３】
＜３．第２の実施の形態＞
［その他の鍵の構成例］
以上においては、鍵１１とＡＰ１３との通信が所定時間より長い時間できない状態となったとき、ホールコンピュータ２２から公衆回線２３を介して鍵１１に今現在の位置を問い合わせる例について説明してきたが、さらに、所定時間より長い時間通信できない状態となったとき、鍵１１から公衆回線２３を介してホールコンピュータ２２に通信し、この通信が確立されたときに、ホールコンピュータ２２から今現在の位置を問い合わせるようにしてもよい。
【０２８４】
図３０は、所定時間より長い間、ＡＰ１３とＡＰ通信部１０７により通信ができない状態になると、公衆回線２３を介してホールコンピュータ２２と通信するようにした鍵１１の構成例を示している。尚、図３０の鍵１１の構成において、図５の鍵１１における構成と同一の機能を備えた構成については、同一の符号を付しており、その説明は適宜省略するものとする。
【０２８５】
図３０の鍵１１において、図５の鍵１１における構成と異なるのは、制御部１０５に代えて、制御部３０５を備えたことにある。また、その制御部３０５についても、制御部１０５における構成に加えて、時刻記憶部３０５ａ、および未接続時間判定部３０５ｂを備えている。時刻記憶部３０５ａは、ＡＰ通信部１０７を介してＡＰ１３と通信する度に、そのタイマ１０９のカウント値を読み出し、送信時刻として記憶する。未接続時間判定部３０５ｂは、時刻記憶部３０５ａに記憶されているタイマ１０９のカウント値と、現在におけるタイマ１０９のカウント値との差分から求められる未接続時間が所定の時間よりも長くなった場合、公衆回線２３を介したホールコンピュータ２２への通信が必要なタイミングであるものと判定する。
【０２８６】
［その他のホールコンピュータの構成例］
次に、図３１を参照して、図３０の鍵１１に対応して、鍵１１からの公衆回線２３を通じて、鍵１１に対して現在位置を要求するようにしたホールコンピュータ２２の構成例について説明する。尚、図３０のホールコンピュータ２２の構成において、図９のホールコンピュータ２２の構成と同一の機能を備える構成である場合、その構成には、同一の符号を付すこととし、その説明は適宜省略する。
【０２８７】
すなわち、図３０のホールコンピュータ２２において、図９のホールコンピュータ２２と異なる構成は、履歴管理テーブル１９１ｆに代えて履歴管理テーブル３２１を備えたことである。
【０２８８】
履歴管理テーブル３２１は、基本的な機能が履歴管理テーブル１９１ｆと同様であるが、さらに、鍵１１からの公衆回線２３による通信があった場合、鍵１１に対して現在位置を要求し、動作履歴として履歴管理テーブル３２１に登録する。
【０２８９】
［図３０の鍵による鍵管理処理］
次に、図３２のフローチャートを参照して、図３０の鍵による鍵管理処理について説明する。尚、図３２のフローチャートにおいて、ステップＳ３０１乃至Ｓ３１３，Ｓ３１５乃至Ｓ３１９，Ｓ３２５，Ｓ３２６の処理は、図１０のフローチャートにおけるステップＳ１乃至Ｓ２４の処理と同様であるので、その説明は省略するものとする。尚、ステップＳ３１９のホールコンピュータからの公衆回線処理とは、図１０のフローチャートにおけるステップＳ１８乃至Ｓ２２の処理である。
【０２９０】
すなわち、ステップＳ３１３において、図１０のステップＳ１３の処理と同様に、ＡＰ１３に対して鍵１１の動作履歴となる情報が送信されると、ステップＳ３１４において、制御部３０５は、時刻記憶部３０５ａを制御して、ＡＰ１３と通信した時刻を更新して記憶する。すなわち、時刻記憶部３０５ａは、最新の通信時刻に対応するタイマ１０９のタイマカウント値を記憶する。
【０２９１】
さらに、例えば、ステップＳ３１９において、ホールコンピュータ２２からの公衆回線２３による通信要求がなく、ステップＳ３１９の処理がスキップされた場合、処理は、ステップＳ３２０に進む。
【０２９２】
ステップＳ３２０において、制御部３０５は、未接続時間判定部３０５ｂを制御して、時刻記憶部３０５ａに記憶されているタイマカウント値と、今現在タイマ１０９により発生されたタイマカウント値との差分から求められる未接続時間が、所定時間よりも長いか否かを判定する。例えば、未接続時間が所定時間よりも長いと判定された場合、処理は、ステップＳ３２１に進む。
【０２９３】
ステップＳ３２１において、制御部３０５は、公衆回線通信部１０６を制御して、ホールコンピュータ２２に対して公衆回線２３による通信を要求させる。
【０２９４】
ステップＳ３２２において、制御部３０５は、公衆回線通信部１０６を制御して、ホールコンピュータ２２より公衆回線２３を介して、ＧＰＳ１０４による現在位置が要求されたか否かを判定し、要求されるまで、同様の処理を繰り返す。ステップＳ３２２において、例えば、ホールコンピュータ２２よりＧＰＳ１０４による現在位置が要求された場合、処理は、ステップＳ３２３に進む。
【０２９５】
ステップＳ３２３において、制御部３０５は、ＧＰＳ１０４を制御して、図示せぬ衛星からの信号に基づいて、鍵１１の地球上の位置、すなわち、緯度、および経度からなる位置情報を取得する。
【０２９６】
ステップＳ３２４において、制御部３０５は、公衆回線通信部１０６を制御して、ホールコンピュータ２２に対して、ＧＰＳ１０４により取得した位置情報を送信する。尚、この際、時刻記憶部３０５ａは、公衆回線２３により位置情報を送信した時刻に対応するタイミングにおけるタイマ１０９のタイマカウント値を記憶する。このため、ホールコンピュータ２２との通信がなされれば、ＡＰ１３との通信がなされたものとみなされることになり、未接続時間はリセットされることになる。ステップＳ３１９の処理により、ホールコンピュータ２２からの公衆回線処理に基づいてＧＰＳ１０４による位置情報を送信した場合においても、時刻記憶部３０５ａにより記憶される時刻が、リセットされるようにしてもよい。このようにすることで、公衆回線２３による通信が成功したタイミングから未接続時間がカウントされることになるので、鍵１１からホールコンピュータ２２への公衆回線２３を用いた通信を低減させることができる。
【０２９７】
以上の処理により、鍵１１は、ＡＰ通信部１０７によるＡＰ１３との未通信時間が所定の時間よりも長くなるとき、鍵１１の位置情報がホールコンピュータ２２に送信されることになるので、何らかの原因で、ホールコンピュータ２２から鍵１１に対しての公衆回線２３を介した通信による接続が失敗してしまうようなことがあっても、鍵１１から公衆回線２３を介してホールコンピュータ２２に対して通信することで、店舗１の外に鍵１１が持ち出されたときの鍵１１の位置情報がホールコンピュータ２２に送信される可能性を高めることが可能となる。
【０２９８】
［図３１のホールコンピュータによる鍵管理処理］
次に、図３３のフローチャートを参照して、図３１のホールコンピュータ２２による鍵管理処理について説明する。尚、図３３のフローチャートにおけるステップＳ３４１乃至Ｓ３６６，Ｓ３６９の処理は、図１３のフローチャートにおけるステップＳ１０１乃至Ｓ１２７の処理と同様であるので、その説明は適宜省略するものとする。ただし、ステップＳ３６４においては、ウェイトタイマのカウント値が、規定時間を越えない場合、処理は、ステップＳ３６７に進む。
【０２９９】
ステップＳ３６７において、履歴管理テーブル３２１は、公衆回線通信部１９８を制御して、鍵１１から公衆回線２３を介した通信の要求があるか否かを判定する。ステップＳ３６７において、例えば、上述した図３２のステップＳ３２１の処理により、公衆回線２３による通信が要求された場合、処理は、ステップＳ３６８に進む。
【０３００】
ステップＳ３６８において、履歴管理テーブル３２１は、動作履歴保存処理を実行して、公衆回線２３を介して鍵１１からの位置情報を取得して、動作履歴としてテーブルに保存する。
【０３０１】
［図３１のホールコンピュータによる動作履歴保存処理］
ここで、図３４のフローチャートを参照して、図３１のホールコンピュータ２２による動作履歴保存処理について説明する。尚、図３４のフローチャートにおけるステップＳ４０１乃至Ｓ４２５，Ｓ４２７乃至Ｓ４３２の処理は、図１７のフローチャートにおけるステップＳ１７１乃至Ｓ２０１の処理と同様であるので、その説明は省略する。
【０３０２】
すなわち、ステップＳ４０１，Ｓ４１６，Ｓ４２２の処理により、ＡＰ１３より供給されてくる第１ＡＰコマンド乃至第３ＡＰコマンドのいずれでもないので、ステップＳ４２６において、履歴管理テーブル３２１は、公衆回線通信部１９８を介して鍵１１から公衆回線２３を介した通信接続の要求であるか否かを判定する。ステップＳ４２６においては、鍵１１がＡＰ１３による通信不能な状態となり未接続時間が経過した場合であるか、鍵１１から公衆回線２３を介して通信接続が要求されるかのいずれの場合となる。上述したように、図３３のフローチャートにおけるステップＳ３６７の後段のステップＳ３６８の場合、鍵１１から公衆回線２３を介して通信接続が要求されていることになるので、処理は、ステップＳ４３３に進む。
【０３０３】
ステップＳ４３３において、履歴管理テーブル３２１は、公衆回線通信部１９８を制御して公衆回線２３を介して鍵１１との通信要求に応答し通信接続する。
【０３０４】
ステップＳ４３４において、履歴管理テーブル３２１は、RTC１９５より日時情報を取得して保存し、処理は、ステップＳ４３０に進む。
【０３０５】
すなわち、以降の処理により鍵１１と公衆回線２３を介した通信により、鍵１１のＧＰＳ１０４による位置情報を要求して取得し、その情報が履歴管理テーブル３２１に登録される。
【０３０６】
以上の処理によりＡＰ１３との未接続時間が所定時間を越えると、ホールコンピュータ２２に加えて、鍵１１からも公衆回線２３によりホールコンピュータ２２に対して通信接続を要求し、ＧＰＳ１０４による位置情報がホールコンピュータ２２に送信できるようになるので、ホールコンピュータ２２から鍵１１に対して公衆回線２３を介して、何らかの原因で通信接続がうまくいかないような場合であっても、ホールコンピュータ２２が、鍵１１の位置情報を取得できる可能性を高めることが可能となる。また、ここでは、ホールコンピュータ２２から鍵１１に対して公衆回線２３による通信で位置情報を取得できるようにすることに加えて、さらに、鍵１１からも公衆回線２３によりホールコンピュータ２２に通信できるようにすることで、鍵１１の位置情報を高確率で取得できるようにする例について説明してきたが、鍵１１からのみホールコンピュータ２２に公衆回線２３を介して通信接続を要求し、位置情報を送信できるようにしてもよい。また、鍵１１とホールコンピュータ２２との未接続時間に対する所定時間の設定を異なるものとしてもよく、例えば、電源に余裕のあるホールコンピュータ２２については、未接続時間に対する所定時間を短めにして、鍵１１に対して、ＡＰ１３との通信ができなくなると直ぐに公衆回線２３を通じて位置情報を要求するようにして、電源が限られたバッテリのみの鍵１１については、未接続時間に対する所定時間を長めにして、公衆回線２３を通じたホールコンピュータ２２への通信は最悪の状況となったときのみするようにしてもよい。
【０３０７】
以上の如く、本技術によれば、事前に登録された複数個の鍵が所定エリア内のどの位置に存在していることかを常時監視し、個々の鍵の使用状態をリアルタイムで管理すると共に、個々の鍵で操作（開錠）可能な遊技機などの状態を管理することで、関連する遊技機及び鍵のセキュリティを向上させることが可能となる。また、鍵の位置情報および動作履歴を時刻に対応付けて記憶させることにより、個々の鍵の移動動線履歴と動作履歴を管理し、個々の鍵を持つ係員の行動を把握することが可能となる。さらに、開錠や施錠の処理に当たり、認証処理などを必要としない従来の簡易な構造の錠前に使用する鍵であって、同一の鍵を複数に使用する際に、利用者が頻繁に変更するような使用条件であっても、鍵毎の使用状態を管理することが可能となる。
【０３０８】
ところで、上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【０３０９】
図３５は、汎用のパーソナルコンピュータの構成例を示している。このパーソナルコンピュータは、CPU(Central Processing Unit)１００１を内蔵している。CPU１００１にはバス１００４を介して、入出力インターフェース１００５が接続されている。バス１００４には、ROM(Read Only Memory)１００２およびRAM(Random Access Memory)１００３が接続されている。
【０３１０】
入出力インターフェース１００５には、遊技者が操作コマンドを入力するキーボード、マウスなどの入力デバイスよりなる入力部１００６、処理操作画面や処理結果の画像を表示デバイスに出力する出力部１００７、プログラムや各種データを格納するハードディスクドライブなどよりなる記憶部１００８、LAN（Local Area Network）アダプタなどよりなり、インターネットに代表されるネットワークを介した通信処理を実行する通信部１００９が接続されている。また、磁気ディスク（フレキシブルディスクを含む）、光ディスク（CD-ROM(Compact Disc-Read Only Memory)、DVD(Digital Versatile Disc)を含む）、光磁気ディスク（ＭＤ(Mini Disc)を含む）、もしくは半導体メモリなどのリムーバブルメディア１０１１に対してデータを読み書きするドライブ１０１０が接続されている。
【０３１１】
CPU１００１は、ROM１００２に記憶されているプログラム、または磁気ディスク、光ディスク、光磁気ディスク、もしくは半導体メモリ等のリムーバブルメディア１０１１から読み出されて記憶部１００８にインストールされ、記憶部１００８からRAM１００３にロードされたプログラムに従って各種の処理を実行する。RAM１００３にはまた、CPU１００１が各種の処理を実行する上において必要なデータなども適宜記憶される。
【０３１２】
尚、本明細書において、記録媒体に記録されるプログラムを記述するステップは、記載された順序に沿って時系列的に行われる処理は、もちろん、必ずしも時系列的に処理されなくとも、並列的あるいは個別に実行される処理を含むものである。
【０３１３】
また、本明細書において、システムとは、複数の装置により構成される装置全体を表すものである。
【０３１４】
なお、本技術の実施の形態は、上述した実施の形態に限定されるものではなく、本技術の要旨を逸脱しない範囲において種々の変更が可能である。
【符号の説明】
【０３１５】
１１  鍵
１３  ＡＰ
２１  鍵収納庫
２２  ホールコンピュータ
３１，３１−１乃至３１−ｎ  鍵収納検出部
５４  電池
１０１  鍵挿入検出部
１０２  加速度センサ
１０３  磁気センサ
１０４  ＧＰＳ
１０５  制御部
１０６  公衆回線通信部
１０７  ＡＰ通信部
１０８  状態確認部
１０９  タイマ
１２１  電源制御部
１５３  制御部
１５５  表示部
１５６  通信部
１７１  制御部
１７６  通信部
１７６ａ  電波強度検出部
１８１  遊技機
１９１  制御部
１９４  通信部
１９８  公衆回線通信部
【図１】
2012193495.tif 000004
【図２】
2012193495.tif 000005
【図３】
2012193495.tif 000006
【図４】
2012193495.tif 000007
【図５】
2012193495.tif 000008
【図６】
2012193495.tif 000009
【図７】
2012193495.tif 000010
【図８】
2012193495.tif 000011
【図９】
2012193495.tif 000012
【図１０】
2012193495.tif 000013
【図１１】
2012193495.tif 000014
【図１２】
2012193495.tif 000015
【図１３】
2012193495.tif 000016
【図１４】
2012193495.tif 000017
【図１５】
2012193495.tif 000018
【図１６】
2012193495.tif 000019
【図１７】
2012193495.tif 000020
【図１８】
2012193495.tif 000021
【図１９】
2012193495.tif 000022
【図２０】
2012193495.tif 000023
【図２１】
2012193495.tif 000024
【図２２】
2012193495.tif 000025
【図２３】
2012193495.tif 000026
【図２４】
2012193495.tif 000027
【図２５】
2012193495.tif 000028
【図２６】
2012193495.tif 000029
【図２７】
2012193495.tif 000030
【図２８】
2012193495.tif 000031
【図２９】
2012193495.tif 000032
【図３０】
2012193495.tif 000033
【図３１】
2012193495.tif 000034
【図３２】
2012193495.tif 000035
【図３３】
2012193495.tif 000036
【図３４】
2012193495.tif 000037
【図３５】
2012193495.tif 000038